(57)【要約】  本発明は、無線通信の分野に関し、LTEシステム、UMTSシステム、およびCDMAシステムなどのシステムにおける重畳符号化技術の適用を実行することができる重畳符号化方法、装置、およびシステムを開示する。本発明の方法は、少なくとも2つのユーザ機器UEに個々に送信されるべきビットデータに従って重畳符号化Superposition Coding信号を生成するステップと、前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信するステップと、前記重畳符号化信号を前記少なくとも2つのUEに送信するステップとを含む。本方法は、主に、重畳符号化信号の復号処理に適用される。
2016521509.tif 000002
【特許請求の範囲】
【請求項１】
少なくとも2つのユーザ機器UEに個々に送信されるべきビットデータに従って重畳符号化Superposition Coding信号を生成するステップと、
前記少なくとも2つのUEのうちの少なくとも1つのUEに通知信号を送信するステップであって、前記通知信号がデータ選択情報を運び、前記データ選択情報が、前記重畳符号化信号から復調されるビットデータから特定の量でありかつ特定の位置にある少なくとも1ビットのデータを受信データとして取得するように該UEに対して指示するために使用されるものである、ステップと、
前記重畳符号化信号を前記少なくとも2つのUEに送信するステップと
を含む重畳符号化方法。
【請求項２】
前記少なくとも2つのUEのうちの少なくとも1つのUEに、データ選択情報を運ぶ通知信号を送信するステップは、
前記データ選択情報を運ぶ無線リソース制御RRC信号を前記少なくとも2つのUEに送信するステップ、または
前記データ選択情報を運ぶダウンリンク制御情報DCIを前記少なくとも2つのUEに送信するステップ、または
DCIを前記少なくとも2つのUEに送信するステップであって、前記DCIにおける周期的冗長検査情報CRCが、前記データ選択情報を示すために用いられるスクランブル符号を使用することによってスクランブルされたものである、ステップ
を含む請求項1に記載の方法。
【請求項３】
前記少なくとも2つのUEに対してそれぞれの復調方式の選択を個々に指示するステップ
をさらに含む請求項1または2に記載の方法。
【請求項４】
前記重畳符号化信号の変調方式が16値直交振幅変調QAM変調である場合に、前記少なくとも2つのUEに対してそれぞれの復調方式の選択を個々に指示するステップは、
第1のUEに対して四位相偏移変調QPSK復調の選択を指示し、第2のUEに対して16QAM復調の選択を指示するステップ、または
第1のUEおよび第2のUEの両方に16QAM復調の選択を指示するステップ
を含む請求項3に記載の方法。
【請求項５】
前記第1のUEに対してQPSK復調の選択が指示され、前記第2のUEに対して16QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記第1のUEおよび前記第2のUEの両方に対して16QAM復調の選択が指示される場合に、前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される
請求項4に記載の方法。
【請求項６】
前記重畳符号化信号の変調方式が64QAM変調である場合に、前記少なくとも2つのUEに対してそれぞれの復調方式の選択を個々に指示するステップは、
第1のUEに対してQPSK復調の選択を指示し、第2のUEに対して64QAM復調の選択を指示するステップ、または
第1のUEに対して16QAM復調の選択を指示し、第2のUEに対して64QAM復調の選択を指示するステップ、または
第1のUEおよび第2のUEの両方に64QAM復調の選択を指示するステップ
を含む請求項3に記載の方法。
【請求項７】
前記第1のUEに対してQPSK復調の選択が指示され、前記第2のUEに対して64QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、もしくは
前記第1のUEに対して16QAM復調の選択が指示され、前記第2のUEに対して64QAM復調の選択が指示される場合に、前記第1のUEによって受信されるデータ選択情報は、該第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、もしくは
前記第1のUEおよび前記第2のUEの両方に対して64QAM復調の選択が指示される場合に、前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して6ビットの復調後データのうちの最後の2ビットのデータを受信データとして取得するように指示するために使用される、
請求項6に記載の方法。
【請求項８】
前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して256QAM復調の選択を指示するステップ、または
第1のUEに対して16QAM復調の選択を指示し、第2のUEに対して256QAM復調の選択を指示するステップ、または
第1のUEに対して64QAM復調の選択を指示し、第2のUEに対して256QAM復調の選択を指示するステップ、または
第1のUEおよび第2のUEの両方に256QAM復調の選択を指示するステップ
を含む請求項3に記載の方法。
【請求項９】
前記第1のUEに対してQPSK復調の選択が指示され、前記第2のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して16QAM復調の選択が指示され、前記第2のUEに対して256QAM復調の選択が指示される場合に、前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して64QAM復調の選択が指示され、前記第2のUEに対して256QAM復調の選択が指示される場合に、前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、もしくは
前記第1のUEおよび前記第2のUEの両方に対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される、
請求項8に記載の方法。
【請求項１０】
前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して16QAM復調の選択を指示し、第3のUEに対して256QAM復調の選択を指示するステップ、または
第1のUE、第2のUE、および第3のUEのすべてに対して256QAM復調の選択を指示するステップ
を含む請求項3に記載の方法。
【請求項１１】
前記第1のUEに対してQPSK復調の選択が指示され、前記第2のUEに対して16QAM復調の選択が指示され、前記第3のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記第1のUE、前記第2のUE、および前記第3のUEのすべてに対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される、
請求項10に記載の方法。
【請求項１２】
前記少なくとも2つのUEによって送信される復調能力情報を個々に取得するステップと、
前記少なくとも2つのUEのうちの第1のUEの復調能力情報が、QPSK復調だけをサポートするというものである場合に、該第1のUEへの前記通知信号の送信を省略するステップと
をさらに含む請求項1または2に記載の方法。
【請求項１３】
基地局によって送信された通知信号であって、受信される重畳符号化信号から復調されるビットデータから特定の量でありかつ特定の位置にある少なくとも1ビットのデータを受信データとして取得するようにユーザ機器UEに対して指示するために使用されるデータ選択情報を運んでいる通知信号を、受信するステップと、
前記基地局によって送信された重畳符号化信号を受信するステップと、
前記重畳符号化信号を復調し、前記データ選択情報に従って、前記重畳符号化信号から復調されたビットデータから受信データを取得するステップと
を含む重畳符号化方法。
【請求項１４】
前記基地局によって送信された通知信号を受信するステップは、
前記基地局によって送信され、前記データ選択情報を運ぶ無線リソース制御RRC信号を受信するステップ、または
前記基地局によって送信され、前記データ選択情報を運ぶダウンリンク制御情報DCIを受信するステップ、または
前記基地局によって送信され、前記データ選択情報を示すために用いられるスクランブル符号を使用することによってスクランブルされた周期的冗長検査情報CRCを含むDCIを受信するステップ
を含む請求項13に記載の方法。
【請求項１５】
前記重畳符号化信号の復調に先だって、
前記基地局の指示に従って特定の復調方式を選択するステップ
をさらに含んでおり、
前記重畳符号化信号の復調は、
前記特定の復調方式に従って前記重畳符号化信号を復調するステップ
を含む請求項13または14に記載の方法。
【請求項１６】
前記基地局によって指示された復調方式が四位相偏移変調QPSK復調である場合に、前記データ選択情報は、復調後データの両方のビットを受信データとして取得することであり、もしくは
前記基地局によって指示された復調方式が16値直交振幅変調QAM復調である場合に、前記データ選択情報は、4ビットの復調後データのうちの最初の2ビットのデータまたは最後の2ビットのデータを受信データとして取得することであり、あるいは前記データ選択情報は、復調後データの4つのビットのすべてを受信データとして取得することであり、もしくは
前記基地局によって指示された復調方式が64QAM復調である場合に、前記データ選択情報は、6ビットの復調後データのうちの最初の2ビットのデータまたは最後の2ビットのデータを受信データとして取得することであり、あるいは前記データ選択情報は、6ビットの復調後データのうちの最初の4ビットのデータまたは最後の4ビットのデータを受信データとして取得することであり、あるいは前記データ選択情報は、復調後データの6つのビットのすべてを受信データとして取得することであり、もしくは
前記基地局によって指示された復調方式が256QAM復調である場合に、前記データ選択情報は、8ビットの復調後データのうちの最初の2ビットのデータまたは最後の2ビットのデータを受信データとして取得することであり、あるいは前記データ選択情報は、8ビットの復調後データのうちの最初の4ビットのデータまたは最後の4ビットのデータを受信データとして取得することであり、あるいは前記データ選択情報は、8ビットの復調後データのうちの最初の6ビットのデータまたは最後の6ビットのデータを受信データとして取得することである、
請求項15に記載の方法。
【請求項１７】
前記重畳符号化信号の復調は、
前記基地局によって送信される復調方式の選択の指示が受信されない場合に、前記重畳符号化信号についてQPSK復調を実行するステップ
を含む請求項13から16のいずれか一項に記載の方法。
【請求項１８】
少なくとも2つのユーザ機器UEに個々に送信されるべきビットデータに従って重畳符号化Superposition Coding信号を生成する生成ユニットと、
前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信する送信ユニットと
を備えており、
前記送信ユニットは、前記重畳符号化信号を前記少なくとも2つのUEに送信するようにさらに構成されている、重畳符号化装置。
【請求項１９】
前記送信ユニットは、
前記データ選択情報を運ぶ無線リソース制御RRC信号を前記少なくとも2つのUEに送信する第1の送信サブユニット、または
前記データ選択情報を運ぶダウンリンク制御情報DCIを前記少なくとも2つのUEに送信する第2の送信サブユニット、または
前記データ選択情報を示すために用いられるスクランブル符号を使用することによってスクランブルされた周期的冗長検査情報CRCを含むDCIを前記少なくとも2つのUEに送信する第3の送信サブユニット
を備える請求項18に記載の装置。
【請求項２０】
前記少なくとも2つのUEに対してそれぞれの復調方式の選択を個々に指示する指示ユニット
をさらに備える請求項18または19に記載の装置。
【請求項２１】
前記重畳符号化信号の変調方式が16値直交振幅変調QAM変調である場合に、
前記指示ユニットは、第1のUEに対して四位相偏移変調QPSK復調の選択を指示し、第2のUEに対して16QAM復調の選択を指示するように構成され、あるいは
前記指示ユニットは、第1のUEおよび第2のUEの両方に16QAM復調の選択を指示ように構成されている、
請求項20に記載の装置。
【請求項２２】
前記送信ユニットは、前記指示ユニットが前記第1のUEに対してQPSK復調の選択を指示し、前記第2のUEに対して16QAM復調の選択を指示する場合に、前記第1のUEおよび前記第2のUEに前記通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記送信ユニットは、前記指示ユニットが前記第1のUEおよび前記第2のUEの両方に対して16QAM復調の選択を指示する場合に、前記第1のUEおよび前記第2のUEに前記通知信号を送信するように構成され、ここで前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される、
請求項21に記載の装置。
【請求項２３】
前記重畳符号化信号の変調方式が64QAM変調である場合に、
前記指示ユニットは、第1のUEに対してQPSK復調の選択を指示し、第2のUEに対して64QAM復調の選択を指示するように構成され、あるいは
前記指示ユニットは、第1のUEに対して16QAM復調の選択を指示し、第2のUEに対して64QAM復調の選択を指示するように構成され、あるいは
前記指示ユニットは、第1のUEおよび第2のUEの両方に64QAM復調の選択を指示するように構成されている
請求項20に記載の装置。
【請求項２４】
前記送信ユニットは、前記指示ユニットが前記第1のUEに対してQPSK復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEに対して16QAM復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは
前記送信ユニットは、前記指示ユニットが前記第1のUEに対して16QAM復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEおよび前記第2のUEの両方に対して64QAM復調の選択を指示する場合に、前記第1のUEおよび前記第2のUEに前記通知信号を送信するように構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEおよび前記第2のUEの両方に対して64QAM復調の選択を指示する場合に、前記第1のUEおよび前記第2のUEに前記通知信号を送信するように構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して6ビットの復調後データのうちの最後の2ビットのデータを受信データとして取得するように指示するために使用される、
請求項23に記載の装置。
【請求項２５】
前記重畳符号化信号の変調方式が256QAM変調である場合に、
前記指示ユニットは、第1のUEに対してQPSK復調の選択を指示し、第2のUEに対して256QAM復調の選択を指示するように構成され、あるいは
前記指示ユニットは、第1のUEに対して16QAM復調の選択を指示し、第2のUEに対して256QAM復調の選択を指示するように構成され、あるいは
前記指示ユニットは、第1のUEに対して64QAM復調の選択を指示し、第2のUEに対して256QAM復調の選択を指示するように構成され、あるいは
前記指示ユニットは、第1のUEおよび第2のUEの両方に256QAM復調の選択を指示するように構成されている
請求項20に記載の装置。
【請求項２６】
前記送信ユニットは、前記指示ユニットが前記第1のUEに対してQPSK復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して16QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEに対して16QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される、
請求項25に記載の装置。
【請求項２７】
前記重畳符号化信号の変調方式が256QAM変調である場合に、
前記指示ユニットは、第1のUEに対してQPSK復調の選択を指示し、第2のUEに対して16QAM復調の選択を指示し、第3のUEに対して256QAM復調の選択を指示するように構成され、あるいは
前記指示ユニットは、第1のUE、第2のUE、および第3のUEのすべてに対して256QAM復調の選択を指示するように構成されている
請求項20に記載の装置。
【請求項２８】
前記送信ユニットは、前記指示ユニットが前記第1のUEに対してQPSK復調の選択を指示し、前記第2のUEに対して16QAM復調の選択を指示し、前記第3のUEに対して256QAM復調の選択を指示する場合に、前記第1のUE、前記第2のUE、および前記第3のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記送信ユニットは、前記指示ユニットが前記第1のUE、前記第2のUE、および前記第3のUEのすべてに対して256QAM復調の選択を指示する場合に、前記第1のUE、前記第2のUE、および前記第3のUEに通知信号を送信するように構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される、
請求項27に記載の装置。
【請求項２９】
前記少なくとも2つのUEによって送信される復調能力情報を個々に取得する取得ユニット
をさらに備えており、
前記送信ユニットは、前記取得ユニットによって取得される前記少なくとも2つのUEのうちの第1のUEの復調能力情報が、QPSK復調だけがサポートされるというものである場合に、該第1のUEへの前記通知信号の送信を省略するように構成されている、請求項18または19に記載の装置。
【請求項３０】
基地局によって送信された通知信号であって、受信される重畳符号化信号から復調されるビットデータから特定の量でありかつ特定の位置にある少なくとも1ビットのデータを受信データとして取得するようにユーザ機器UEに対して指示するために使用されるデータ選択情報を運んでいる通知信号を、受信するように構成され、かつ前記基地局によって送信された重畳符号化信号を受信するようにさらに構成された受信ユニットと、
前記受信ユニットによって受信された重畳符号化信号を復調し、前記受信ユニットによって受信されたデータ選択情報に従って、前記重畳符号化信号から復調されたビットデータから受信データを取得する復調ユニットと
を備える重畳符号化装置。
【請求項３１】
前記受信ユニットは、
前記データ選択情報を運ぶ前記基地局によって送信された無線リソース制御RRC信号を受信する第1の受信サブユニット、または
前記データ選択情報を運ぶ前記基地局によって送信されたダウンリンク制御情報DCIを受信する第2の受信サブユニット、または
前記データ選択情報を示すために用いられるスクランブル符号を使用することによってスクランブルされた周期的冗長検査情報CRCを含む前記基地局によって送信されたDCIを受信する第3の受信サブユニット
を備える請求項30に記載の装置。
【請求項３２】
選択ユニットをさらに備えており、
前記受信ユニットは、前記基地局によって送信され、復調方式の選択に使用される指示を受信するように構成され、
前記選択ユニットは、前記受信ユニットによって受信される指示に従って特定の復調方式を選択するように構成され、
前記復調ユニットは、前記選択ユニットによって選択された前記特定の復調方式に従って前記重畳符号化信号を復調するように構成されている、請求項30または31に記載の装置。
【請求項３３】
前記受信ユニットは、
前記選択ユニットが前記受信ユニットによって受信された指示に従って四位相偏移変調QPSK復調を選択するときに、復調後データの両方のビットを受信データとして取得する旨のデータ選択情報を運ぶ通知信号を受信し、あるいは
前記選択ユニットが前記受信ユニットによって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って16値直交振幅変調QAM復調を選択するときに、復調後データの4つのビットのすべてを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って64QAM復調を選択するときに、復調後データの6つのビットのすべてを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成されている請求項32に記載の装置。
【請求項３４】
前記復調ユニットは、前記受信ユニットが前記基地局によって送信される復調方式の選択の指示を受信しない場合に、重畳符号化信号についてQPSK復調を実行するように構成されている、請求項30から33のいずれか一項に記載の装置。
【請求項３５】
少なくとも2つのユーザ機器UEに個々に送信されるべきビットデータに従って重畳符号化Superposition Coding信号を生成するプロセッサと、
前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信する送信機と
を備えており、
前記送信機は、前記重畳符号化信号を前記少なくとも2つのUEに送信するようにさらに構成されている、重畳符号化装置。
【請求項３６】
前記送信機は、前記データ選択情報を運ぶ無線リソース制御RRC信号を前記少なくとも2つのUEに送信するように構成されており、あるいは
前記送信機は、前記データ選択情報を運ぶダウンリンク制御情報DCIを前記少なくとも2つのUEに送信するように構成されており、あるいは
前記送信機は、前記データ選択情報を示すために用いられるスクランブル符号を使用することによってスクランブルされた周期的冗長検査情報CRCを含むDCIを前記少なくとも2つのUEに送信するように構成されている、
請求項35に記載の装置。
【請求項３７】
前記プロセッサは、前記少なくとも2つのUEに対してそれぞれの復調方式の選択を指示するために個々に使用される情報を生成するように構成され、
前記送信機は、前記プロセッサによって生成され、前記少なくとも2つのUEに対してそれぞれの復調方式の選択を指示するために個々に使用される情報を、前記少なくとも2つのUEに送信するようにさらに構成されている、請求項35または36に記載の装置。
【請求項３８】
前記重畳符号化信号の変調方式が16値直交振幅変調QAM変調である場合に、
前記プロセッサは、第1のUEに対して四位相偏移変調QPSK復調の選択を指示するための情報および第2のUEに対して16QAM復調の選択を指示するための情報を生成するように構成され、
前記送信機は、前記プロセッサによって生成され、前記第1のUEに対して四位相偏移変調QPSK復調の選択を指示するための情報を、前記第1のUEに送信し、前記プロセッサによって生成され、前記第2のUEに対して16QAM復調の選択を指示するための情報を、前記第2のUEに送信するように構成され、あるいは
前記プロセッサは、第1のUEに対して16QAM復調の選択を指示するための情報および第2のUEに対して16QAM復調の選択を指示するための情報を生成するように構成され、
前記送信機は、前記第1のUEに対して16QAM復調の選択を指示するための情報を、前記第1のUEに送信し、前記第2のUEに対して16QAM復調の選択を指示するための情報を、前記第2のUEに送信するように構成される、
請求項37に記載の装置。
【請求項３９】
前記送信機は、前記プロセッサによって生成された前記第1のUEに対してQPSK復調の選択を指示するための情報および前記第2のUEに対して16QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記送信機は、前記プロセッサによって生成された前記第1のUEに対して16QAM復調の選択を指示するための情報および前記第2のUEに対して16QAM復調の選択を指示するための情報に従い、前記第1のUEおよび前記第2のUEに通知信号を送信するように構成され、ここで前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される、
請求項38に記載の装置。
【請求項４０】
前記重畳符号化信号の変調方式が64QAM変調である場合に、
前記プロセッサは、第1のUEに対してQPSK復調の選択を指示するための情報を生成するとともに、第2のUEに対して64QAM復調の選択を指示するための情報を生成するようにさらに構成され、
前記送信機は、前記第1のUEに対してQPSK復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して64QAM復調の選択を指示するための情報を生成するようにさらに構成され、
前記送信機は、前記第1のUEに対して16QAM復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して64QAM復調の選択を指示するための情報を生成するようにさらに構成され、
前記送信機は、前記第1のUEに対して64QAM復調の選択を指示するための情報を、前記第1のUEに送信するとともに、前記第2のUEに対して64QAM復調の選択を指示するための情報を、前記第2のUEに送信するようにさらに構成される、
請求項37に記載の装置。
【請求項４１】
前記送信機は、前記プロセッサによって生成された前記第1のUEに対してQPSK復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して16QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して6ビットの復調後データのうちの最後の2ビットのデータを受信データとして取得するように指示するために使用され、あるいは
前記送信機は、前記プロセッサによって生成された前記第1のUEに対して16QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して4ビットの復調後データのうちの最初の2ビットのデータ受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して64QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して6ビットの復調後データのうちの最初の2ビットのデータ受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して64QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して6ビットの復調後データのうちの最初の4ビットのデータ受信データとして取得するように指示するために使用され、前記第2のUEによって受信されるデータ選択情報は、該第2のUEに対して6ビットの復調後データのうちの最後の2ビットのデータを受信データとして取得するように指示するために使用される、
請求項40に記載の装置。
【請求項４２】
前記重畳符号化信号の変調方式が256QAM変調である場合に、
前記プロセッサは、第1のUEに対してQPSK復調の選択を指示するための情報を生成するとともに、第2のUEに対して256QAM復調の選択を指示するための情報を生成するようにさらに構成され、
前記送信機は、前記第1のUEに対してQPSK復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して256QAM復調の選択を指示するための情報を生成するようにさらに構成され、
前記送信機は、前記第1のUEに対して16QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して256QAM復調の選択を指示するための情報を生成するようにさらに構成され、
前記送信機は、前記第1のUEに対して64QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して256QAM復調の選択を指示するための情報を生成するとともに、第2のUEに対して256QAM復調の選択を指示するための情報を生成するようにさらに構成され、
前記送信機は、前記第1のUEに対して256QAM復調の選択を指示するための情報を、前記第1のUEに送信するとともに、前記第2のUEに対して256QAM復調の選択を指示するための情報を、前記第2のUEに送信するようにさらに構成される、
請求項37に記載の装置。
【請求項４３】
前記送信機は、前記プロセッサによって生成された前記第1のUEに対してQPSK復調の選択を指示するための情報および前記第2のUEに対して256QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される、
請求項42に記載の装置。
【請求項４４】
前記重畳符号化信号の変調方式が256QAM変調である場合に、
前記プロセッサは、第1のUEに対してQPSK復調の選択を指示するための情報、第2のUEに対して16QAM復調の選択を指示するための情報、および第3のUEに対して256QAM復調の選択を指示するための情報を生成するように構成され、
前記送信機は、前記第1のUEに対してQPSK復調の選択を指示するための情報を前記第1のUEに送信し、前記第2のUEに対して16QAM復調の選択を指示するための情報を前記第2のUEに送信し、前記第3のUEに対して256QAM復調の選択を指示するための情報を前記第3のUEに送信するように構成され、あるいは
前記プロセッサは、第1のUE、第2のUE、および第3のUEのすべてに対して256QAM復調の選択を指示するようにさらに構成され、
前記送信機は、前記第1のUEに対して256QAM復調の選択を指示するための情報を前記第1のUEに送信し、前記第2のUEに対して256QAM復調の選択を指示するための情報を前記第2のUEに送信し、前記第3のUEに対して256QAM復調の選択を指示するための情報を前記第3のUEに送信するように構成される、
請求項37に記載の装置。
【請求項４５】
前記送信機は、前記プロセッサによって生成された前記第1のUEに対してQPSK復調の選択を指示するための情報、前記第2のUEに対して16QAM復調の選択を指示するための情報、および前記第3のUEに対して256QAM復調の選択を指示するための情報に従って、前記第1のUE、前記第2のUE、および前記第3のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報、前記第2のUEに対して256QAM復調の選択を指示するための情報、および前記第3のUEに対して256QAM復調の選択を指示するための情報に従って、前記第1のUE、前記第2のUE、および前記第3のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される、
請求項44に記載の装置。
【請求項４６】
前記少なくとも2つのUEによって送信される復調能力情報を個々に取得する受信機
をさらに備え、
前記送信機は、前記受信機によって取得された前記少なくとも2つのUEのうちの第1のUEの復調能力情報が、QPSK復調だけがサポートされるというものである場合に、前記第1のUEへの通知信号の送信を省略するように構成されている、請求項35または36に記載の装置。
【請求項４７】
基地局によって送信された通知信号であって、受信される重畳符号化信号から復調されるビットデータから特定の量でありかつ特定の位置にある少なくとも1ビットのデータを受信データとして取得するようにユーザ機器UEに対して指示するために使用されるデータ選択情報を運んでいる通知信号を、受信するように構成され、かつ前記基地局によって送信された重畳符号化信号を受信するようにさらに構成された受信機と、
前記受信機によって受信された重畳符号化信号を復調し、前記受信機によって受信されたデータ選択情報に従って、前記重畳符号化信号から復調されたビットデータから受信データを取得する復調器と
を備える重畳符号化装置。
【請求項４８】
前記受信機は、前記データ選択情報を運ぶ前記基地局によって送信された無線リソース制御RRC信号を受信するように構成され、あるいは
前記受信機は、前記データ選択情報を運ぶ前記基地局によって送信されたダウンリンク制御情報DCIを受信するように構成され、あるいは
前記受信機は、前記データ選択情報を示すために用いられるスクランブル符号を使用することによってスクランブルされた周期的冗長検査情報CRCを含む前記基地局によって送信されたDCIを受信するように構成されている、
請求項47に記載の装置。
【請求項４９】
プロセッサをさらに備えており、
前記受信機は、前記基地局によって送信され、復調方式の選択に使用される指示を受信するように構成され、
前記プロセッサは、前記受信機によって受信される指示に従って特定の復調方式を選択するように構成され、
前記復調器は、前記プロセッサによって選択された前記特定の復調方式に従って前記重畳符号化信号を復調するように構成されている、請求項47または48に記載の装置。
【請求項５０】
前記受信機は、
前記プロセッサが前記受信機によって受信された指示に従って四位相偏移変調QPSK復調を選択するときに、復調後データの両方のビットを受信データとして取得する旨のデータ選択情報を運ぶ通知信号を受信し、あるいは
前記プロセッサが前記受信機によって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って16値直交振幅変調QAM復調を選択するときに、復調後データの4つのビットのすべてを受信データとして取得する旨のデータ選択情報を運ぶ通知信号を受信し、あるいは
前記プロセッサが前記受信機によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って64QAM復調を選択するときに、復調後データの6つのビットのすべてを受信データとして取得する旨のデータ選択情報を運ぶ通知信号を受信し、あるいは
前記プロセッサが前記受信機によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成されている請求項49に記載の装置。
【請求項５１】
前記復調器は、前記受信機が前記基地局によって送信される復調方式の選択の指示を受信しない場合に、重畳符号化信号についてQPSK復調を実行するように構成されている、請求項47から50のいずれか一項に記載の装置。
【請求項５２】
基地局および少なくとも2つのユーザ機器UEを含んでおり、前記基地局は、請求項18から29のいずれか一項に記載の装置を備え、前記UEは、請求項30から34のいずれか一項に記載の装置を備える重畳符号化システム。
【請求項５３】
基地局および少なくとも2つのユーザ機器UEを含んでおり、前記基地局は、請求項35から46のいずれか一項に記載の装置を備え、前記UEは、請求項47から51のいずれか一項に記載の装置を備える重畳符号化システム。
【発明の詳細な説明】
【技術分野】
【０００１】
本発明は、無線通信の分野に関し、特に重畳符号化方法、装置、およびシステムに関する。
【背景技術】
【０００２】
重畳符号化（Superposition Coding、略してSC）技術は、超高データレート（Ultra High Data Rate、略してUHDR）の特別な技術であり、システムの性能を効果的に改善することができる。
【０００３】
重畳符号化を、無線通信システムのスループットを改善するために先行技術に適用することができ、すなわち基地局が、2種類以上の情報フローを重畳させ、重畳後の情報フローをユーザ機器（User Equipment、略してUE）に送信でき、UEが、異なる復調ルールに従って異なる情報フローを得る。重畳符号化が使用されるとき、基地局は、同じ時間−周波数リソースを2つ以上のUEのために多重化でき、ここで基地局は、2つ以上のUEのために異なる送信パワーを使用する。
【０００４】
現時点における重畳符号化技術は、例えばロングタームエボリューション（Long Term Evolution、略してLTE）通信システム、ユニバーサル・モバイル・テレコミュニケーション・システム（Universal Mobile Telecommunications System、略してUMTS）、または符号分割多重アクセス（Code Division Multiple Access、略してCDMA）通信システムなどの既存の通信システムに適用することが不可能である。
【発明の概要】
【０００５】
本発明は、重畳符号化技術を上述の通信システムに適用することができる重畳符号化方法、装置、およびシステムを提供する。
【０００６】
第1の態様によれば、本発明は、基地局側に適用される重畳符号化方法であって、少なくとも2つのユーザ機器UEに個々に送信されるべきビットデータに従って重畳符号化Superposition Coding信号を生成するステップと、前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信するステップと、前記重畳符号化信号を前記少なくとも2つのUEに送信するステップとを含む重畳符号化方法を提供する。
【課題を解決するための手段】
【０００７】
この第1の態様について考えられる第1の実施のやり方において、前記少なくとも2つのUEのうちの少なくとも1つのUEにデータ選択情報を運ぶ通知信号を送信するステップは、
前記データ選択情報を運ぶ無線リソース制御RRC信号を前記少なくとも2つのUEに送信するステップ、または
前記データ選択情報を運ぶダウンリンク制御情報DCIを前記少なくとも2つのUEに送信するステップ、または
前記データ選択情報を示すために用いられるスクランブル符号を使用することによってスクランブルされた周期的冗長検査情報CRCを含むDCIを前記少なくとも2つのUEに送信するステップ
を含む。
【０００８】
第1の態様または第1の態様について考えられる第1の実施のやり方において、第1の態様について考えられる第2の実施のやり方がさらに提供され、第1の態様について考えられる第2の実施のやり方において、本方法は、
前記少なくとも2つのUEに対してそれぞれの復調方式の選択を個々に指示するステップ
をさらに含む。
【０００９】
第1の態様について考えられる第2の実施のやり方において、第1の態様について考えられる第3の実施のやり方がさらに提供され、第1の態様について考えられる第3の実施のやり方において、前記重畳符号化信号の変調方式が16値直交振幅変調QAM変調である場合に、前記少なくとも2つのUEに対してそれぞれの復調方式の選択を個々に指示するステップは、
第1のUEに対して四位相偏移変調QPSK復調の選択を指示し、第2のUEに対して16QAM復調の選択を指示するステップ、または
第1のUEおよび第2のUEの両方に16QAM復調の選択を指示するステップ
を含む。
【００１０】
第1の態様について考えられる第3の実施のやり方において、第1の態様について考えられる第4の実施のやり方がさらに提供され、第1の態様について考えられる第4の実施のやり方において、
前記第1のUEに対してQPSK復調の選択が指示され、前記第2のUEに対して16QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記第1のUEおよび前記第2のUEの両方に対して16QAM復調の選択が指示される場合に、前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される。
【００１１】
第1の態様について考えられる第2の実施のやり方において、第1の態様について考えられる第5の実施のやり方がさらに提供され、第1の態様について考えられる第5の実施のやり方において、前記重畳符号化信号の変調方式が64QAM変調である場合に、前記少なくとも2つのUEに対してそれぞれの復調方式の選択を個々に指示するステップは、
第1のUEに対してQPSK復調の選択を指示し、第2のUEに対して64QAM復調の選択を指示するステップ、または
第1のUEに対して16QAM復調の選択を指示し、第2のUEに対して64QAM復調の選択を指示するステップ、または
第1のUEおよび第2のUEの両方に64QAM復調の選択を指示するステップ
を含む。
【００１２】
第1の態様について考えられる第5の実施のやり方において、第1の態様について考えられる第6の実施のやり方がさらに提供され、第1の態様について考えられる第6の実施のやり方において、
前記第1のUEに対してQPSK復調の選択が指示され、前記第2のUEに対して64QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、もしくは
前記第1のUEに対して16QAM復調の選択が指示され、前記第2のUEに対して64QAM復調の選択が指示される場合に、前記第1のUEによって受信されるデータ選択情報は、該第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、もしくは
前記第1のUEおよび前記第2のUEの両方に対して64QAM復調の選択が指示される場合に、前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して6ビットの復調後データのうちの最後の2ビットのデータを受信データとして取得するように指示するために使用される。
【００１３】
第1の態様について考えられる第2の実施のやり方において、第1の態様について考えられる第7の実施のやり方がさらに提供され、第1の態様について考えられる第7の実施のやり方において、前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して256QAM復調の選択を指示するステップ、または
第1のUEに対して16QAM復調の選択を指示し、第2のUEに対して256QAM復調の選択を指示するステップ、または
第1のUEに対して64QAM復調の選択を指示し、第2のUEに対して256QAM復調の選択を指示するステップ、または
第1のUEおよび第2のUEの両方に256QAM復調の選択を指示するステップ
を含む。
【００１４】
第1の態様について考えられる第7の実施のやり方において、第1の態様について考えられる第8の実施のやり方がさらに提供され、第1の態様について考えられる第8の実施のやり方において、
前記第1のUEに対してQPSK復調の選択が指示され、前記第2のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して16QAM復調の選択が指示され、前記第2のUEに対して256QAM復調の選択が指示される場合に、前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して64QAM復調の選択が指示され、前記第2のUEに対して256QAM復調の選択が指示される場合に、前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、もしくは
前記第1のUEおよび前記第2のUEの両方に対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される。
【００１５】
第1の態様について考えられる第2の実施のやり方において、第1の態様について考えられる第9の実施のやり方がさらに提供され、第1の態様について考えられる第9の実施のやり方において、前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して16QAM復調の選択を指示し、第3のUEに対して256QAM復調の選択を指示するステップ、または
第1のUE、第2のUE、および第3のUEのすべてに対して256QAM復調の選択を指示するステップ
を含む。
【００１６】
第1の態様について考えられる第9の実施のやり方において、第1の態様について考えられる第10の実施のやり方がさらに提供され、第1の態様について考えられる第10の実施のやり方において、
前記第1のUEに対してQPSK復調の選択が指示され、前記第2のUEに対して16QAM復調の選択が指示され、前記第3のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記第1のUE、前記第2のUE、および前記第3のUEのすべてに対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される。
【００１７】
第1の態様または第1の態様について考えられる第1の実施のやり方において、第1の態様について考えられる第11の実施のやり方がさらに提供され、第1の態様について考えられる第11の実施のやり方において、本方法は、
前記少なくとも2つのUEによって送信される復調能力情報を個々に取得するステップと、
前記少なくとも2つのUEのうちの第1のUEの復調能力情報が、QPSK復調だけをサポートするというものである場合に、該第1のUEへの前記通知信号の送信を省略するステップと
をさらに含む。
【００１８】
第2の態様によれば、本発明は、UE側に適用される重畳符号化方法であって、
基地局によって送信された通知信号であって、受信される重畳符号化信号から復調されるビットデータから特定の量でありかつ特定の位置にある少なくとも1ビットのデータを受信データとして取得するようにUEに対して指示するために使用されるデータ選択情報を運んでいる通知信号を、受信するステップと、
前記基地局によって送信された重畳符号化信号を受信するステップと、
前記重畳符号化信号を復調し、前記データ選択情報に従って、前記重畳符号化信号から復調されたビットデータから受信データを取得するステップと
を含む重畳符号化方法をさらに提供する。
【００１９】
第2の態様について考えられる第1の実施のやり方において、基地局によって送信された通知信号を受信するステップは、
前記基地局によって送信され、前記データ選択情報を運ぶ無線リソース制御RRC信号を受信するステップ、または
前記基地局によって送信され、前記データ選択情報を運ぶダウンリンク制御情報DCIを受信するステップ、または
前記基地局によって送信され、前記データ選択情報を示すために用いられるスクランブル符号を使用することによってスクランブルされた周期的冗長検査情報CRCを含むDCIを受信するステップ
を含む。
【００２０】
第2の態様または第2の態様について考えられる第1の実施のやり方において、第2の態様について考えられる第2の実施のやり方がさらに提供され、第2の態様について考えられる第2の実施のやり方において、本方法は、前記重畳符号化信号の復調に先だって、
前記基地局の指示に従って特定の復調方式を選択するステップ
をさらに含み、
前記重畳符号化信号の復調は、
前記特定の復調方式に従って前記重畳符号化信号を復調するステップ
を含む。
【００２１】
第2の態様について考えられる第2の実施のやり方において、第2の態様について考えられる第3の実施のやり方がさらに提供され、第2の態様について考えられる第3の実施のやり方において、
前記基地局によって指示された復調方式が四位相偏移変調QPSK復調である場合に、前記データ選択情報は、復調後データの両方のビットを受信データとして取得することであり、もしくは
前記基地局によって指示された復調方式が16値直交振幅変調QAM復調である場合に、前記データ選択情報は、4ビットの復調後データのうちの最初の2ビットのデータまたは最後の2ビットのデータを受信データとして取得することであり、あるいは前記データ選択情報は、復調後データの4つのビットのすべてを受信データとして取得することであり、もしくは
前記基地局によって指示された復調方式が64QAM復調である場合に、前記データ選択情報は、6ビットの復調後データのうちの最初の2ビットのデータまたは最後の2ビットのデータを受信データとして取得することであり、あるいは前記データ選択情報は、6ビットの復調後データのうちの最初の4ビットのデータまたは最後の4ビットのデータを受信データとして取得することであり、あるいは前記データ選択情報は、復調後データの6つのビットのすべてを受信データとして取得することであり、もしくは
前記基地局によって指示された復調方式が256QAM復調である場合に、前記データ選択情報は、8ビットの復調後データのうちの最初の2ビットのデータまたは最後の2ビットのデータを受信データとして取得することであり、あるいは前記データ選択情報は、8ビットの復調後データのうちの最初の4ビットのデータまたは最後の4ビットのデータを受信データとして取得することであり、あるいは前記データ選択情報は、8ビットの復調後データのうちの最初の6ビットのデータまたは最後の6ビットのデータを受信データとして取得することである。
【００２２】
第2の態様ならびに第2の態様について考えられる第1、第2、および第3の実施のやり方において、第2の態様について考えられる第4の実施のやり方がさらに提供され、第2の態様について考えられる第4の実施のやり方において、前記重畳符号化信号の復調は、
前記基地局によって送信される復調方式の選択の指示が受信されない場合に、前記重畳符号化信号についてQPSK復調を実行するステップ
を含む。
【００２３】
第3の態様によれば、本発明は、基地局側に適用される重畳符号化装置であって、
少なくとも2つのユーザ機器UEに個々に送信されるべきビットデータに従って重畳符号化Superposition Coding信号を生成する生成ユニットと、
前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信する送信ユニットと
を備えており、
前記送信ユニットは、前記重畳符号化信号を前記少なくとも2つのUEに送信するようにさらに構成されている、重畳符号化装置をさらに提供する。
【００２４】
第3の態様の第1の可能性において、前記送信ユニットは、
前記データ選択情報を運ぶ無線リソース制御RRC信号を前記少なくとも2つのUEに送信する第1の送信サブユニット、または
前記データ選択情報を運ぶダウンリンク制御情報DCIを前記少なくとも2つのUEに送信する第2の送信サブユニット、または
前記データ選択情報を示すために用いられるスクランブル符号を使用することによってスクランブルされた周期的冗長検査情報CRCを含むDCIを前記少なくとも2つのUEに送信する第3の送信サブユニット
を備える。
【００２５】
第3の態様および第3の態様について考えられる第1の実施のやり方において、第3の態様について考えられる第2の実施のやり方がさらに提供され、第3の態様について考えられる第2の実施のやり方において、本装置は、
前記少なくとも2つのUEに対してそれぞれの復調方式の選択を個々に指示する指示ユニット
をさらに備える。
【００２６】
第3の態様について考えられる第2の実施のやり方において、第3の態様について考えられる第3の実施のやり方がさらに提供され、第3の態様について考えられる第3の実施のやり方において、前記重畳符号化信号の変調方式が16値直交振幅変調QAM変調である場合に、
前記指示ユニットは、第1のUEに対して四位相偏移変調QPSK復調の選択を指示し、第2のUEに対して16QAM復調の選択を指示するように構成され、あるいは
前記指示ユニットは、第1のUEおよび第2のUEの両方に16QAM復調の選択を指示ように構成される。
【００２７】
第3の態様について考えられる第3の実施のやり方において、第3の態様について考えられる第4の実施のやり方がさらに提供され、第3の態様について考えられる第4の実施のやり方において、
前記送信ユニットは、前記指示ユニットが前記第1のUEに対してQPSK復調の選択を指示し、前記第2のUEに対して16QAM復調の選択を指示する場合に、前記第1のUEおよび前記第2のUEに前記通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記送信ユニットは、前記指示ユニットが前記第1のUEおよび前記第2のUEの両方に対して16QAM復調の選択を指示する場合に、前記第1のUEおよび前記第2のUEに前記通知信号を送信するように構成され、ここで前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される。
【００２８】
第3の態様について考えられる第2の実施のやり方において、第3の態様について考えられる第5の実施のやり方がさらに提供され、第3の態様について考えられる第5の実施のやり方において、前記重畳符号化信号の変調方式が64QAM変調である場合に、
前記指示ユニットは、第1のUEに対してQPSK復調の選択を指示し、第2のUEに対して64QAM復調の選択を指示するように構成され、あるいは
前記指示ユニットは、第1のUEに対して16QAM復調の選択を指示し、第2のUEに対して64QAM復調の選択を指示するように構成され、あるいは
前記指示ユニットは、第1のUEおよび第2のUEの両方に64QAM復調の選択を指示するように構成される。
【００２９】
第3の態様について考えられる第5の実施のやり方において、第3の態様について考えられる第6の実施のやり方がさらに提供され、第3の態様について考えられる第6の実施のやり方において、
前記送信ユニットは、前記指示ユニットが前記第1のUEに対してQPSK復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEに対して16QAM復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは
前記送信ユニットは、前記指示ユニットが前記第1のUEに対して16QAM復調の選択を指示し、前記第2のUEに対して64QAM復調の選択を指示する場合に、前記第1のUEおよび前記第2のUEに前記通知信号を送信するように構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEおよび前記第2のUEの両方に対して64QAM復調の選択を指示する場合に、前記第1のUEおよび前記第2のUEに前記通知信号を送信するように構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信ユニットは、前記指示ユニットが前記第1のUEおよび前記第2のUEの両方に対して64QAM復調の選択を指示する場合に、前記第1のUEおよび前記第2のUEに前記通知信号を送信するように構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して6ビットの復調後データのうちの最後の2ビットのデータを受信データとして取得するように指示するために使用される。
【００３０】
第3の態様について考えられる第2の実施のやり方において、第3の態様について考えられる第7の実施のやり方がさらに提供され、第3の態様について考えられる第7の実施のやり方において、前記重畳符号化信号の変調方式が256QAM変調である場合に、
前記指示ユニットは、第1のUEに対してQPSK復調の選択を指示し、第2のUEに対して256QAM復調の選択を指示するように構成され、あるいは
前記指示ユニットは、第1のUEに対して16QAM復調の選択を指示し、第2のUEに対して256QAM復調の選択を指示するように構成され、あるいは
前記指示ユニットは、第1のUEに対して64QAM復調の選択を指示し、第2のUEに対して256QAM復調の選択を指示するように構成され、あるいは
前記指示ユニットは、第1のUEおよび第2のUEの両方に256QAM復調の選択を指示するように構成される。
【００３１】
第3の態様について考えられる第7の実施のやり方において、第3の態様について考えられる第8の実施のやり方がさらに提供され、第3の態様について考えられる第8の実施のやり方において、
前記送信ユニットは、前記指示ユニットが前記第1のUEに対してQPSK復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して16QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEに対して16QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEに対して64QAM復調の選択を指示し、前記第2のUEに対して256QAM復調の選択を指示する場合に、前記第1のUEおよび前記第2のUEに通知信号を送信するように構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信ユニットは、前記指示ユニットが前記第1のUEおよび前記第2のUEの両方に対して256QAM復調の選択を指示する場合に、前記第1のUEおよび前記第2のUEに通知信号を送信するように構成され、ここで前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される。
【００３２】
第3の態様について考えられる第2の実施のやり方において、第3の態様について考えられる第9の実施のやり方がさらに提供され、第3の態様について考えられる第9の実施のやり方において、前記重畳符号化信号の変調方式が256QAM変調である場合に、
前記指示ユニットは、第1のUEに対してQPSK復調の選択を指示し、第2のUEに対して16QAM復調の選択を指示し、第3のUEに対して256QAM復調の選択を指示するように構成され、あるいは
前記指示ユニットは、第1のUE、第2のUE、および第3のUEのすべてに対して256QAM復調の選択を指示するようにさらに構成される。
【００３３】
第3の態様について考えられる第9の実施のやり方において、第3の態様について考えられる第10の実施のやり方がさらに提供され、第3の態様について考えられる第10の実施のやり方において、
前記送信ユニットは、前記指示ユニットが前記第1のUEに対してQPSK復調の選択を指示し、前記第2のUEに対して16QAM復調の選択を指示し、前記第3のUEに対して256QAM復調の選択を指示する場合に、前記第1のUE、前記第2のUE、および前記第3のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記送信ユニットは、前記指示ユニットが前記第1のUE、前記第2のUE、および前記第3のUEのすべてに対して256QAM復調の選択を指示する場合に、前記第1のUE、前記第2のUE、および前記第3のUEに通知信号を送信するように構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される。
【００３４】
第3の態様および第3の態様について考えられる第1の実施のやり方において、第3の態様について考えられる第11の実施のやり方がさらに提供され、第3の態様について考えられる第11の実施のやり方において、本装置は、
前記少なくとも2つのUEによって送信される復調能力情報を個々に取得する取得ユニット
をさらに備え、
前記送信ユニットは、前記取得ユニットによって取得される前記少なくとも2つのUEのうちの第1のUEの復調能力情報が、QPSK復調だけがサポートされるというものである場合に、該第1のUEへの前記通知信号の送信を省略するように構成される。
【００３５】
第4の態様によれば、本発明は、UE側に適用される重畳符号化装置であって、
基地局によって送信された通知信号であって、受信される重畳符号化信号から復調されるビットデータから特定の量でありかつ特定の位置にある少なくとも1ビットのデータを受信データとして取得するようにユーザ機器UEに対して指示するために使用されるデータ選択情報を運んでいる通知信号を、受信するように構成され、かつ前記基地局によって送信された重畳符号化信号を受信するようにさらに構成された受信ユニットと、
前記受信ユニットによって受信された重畳符号化信号を復調し、前記受信ユニットによって受信されたデータ選択情報に従って、前記重畳符号化信号から復調されたビットデータから受信データを取得する復調ユニットと
を備える重畳符号化装置をさらに提供する。
【００３６】
第4の態様について考えられる第1の実施のやり方において、前記受信ユニットは、
前記データ選択情報を運ぶ前記基地局によって送信された無線リソース制御RRC信号を受信する第1の受信サブユニット、または
前記データ選択情報を運ぶ前記基地局によって送信されたダウンリンク制御情報DCIを受信する第2の受信サブユニット、または
前記データ選択情報を示すために用いられるスクランブル符号を使用することによってスクランブルされた周期的冗長検査情報CRCを含む前記基地局によって送信されたDCIを受信する第3の受信サブユニット
を備える。
【００３７】
第4の態様または第4の態様について考えられる第1の実施のやり方において、第4の態様について考えられる第2の実施のやり方がさらに提供され、第4の態様について考えられる第2の実施のやり方において、本装置は、選択ユニットをさらに備え、
前記受信ユニットは、前記基地局によって送信され、復調方式の選択に使用される指示を受信するように構成され、
前記選択ユニットは、前記受信ユニットによって受信される指示に従って特定の復調方式を選択するように構成され、
前記復調ユニットは、前記選択ユニットによって選択された前記特定の復調方式に従って前記重畳符号化信号を復調するように構成される。
【００３８】
第4の態様について考えられる第2の実施のやり方において、第4の態様について考えられる第3の実施のやり方がさらに提供され、第4の態様について考えられる第3の実施のやり方において、前記受信ユニットは、
前記選択ユニットが前記受信ユニットによって受信された指示に従って四位相偏移変調QPSK復調を選択するときに、復調後データの両方のビットを受信データとして取得する旨のデータ選択情報を運ぶ通知信号を受信し、あるいは
前記選択ユニットが前記受信ユニットによって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って16値直交振幅変調QAM復調を選択するときに、復調後データの4つのビットのすべてを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って64QAM復調を選択するときに、復調後データの6つのビットのすべてを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成される。
【００３９】
第4の態様ならびに第4の態様について考えられる第1、第2、および第3の実施のやり方において、第4の態様について考えられる第4の実施のやり方がさらに提供され、第4の態様について考えられる第4の実施のやり方において、前記復調ユニットは、前記受信ユニットが前記基地局によって送信される復調方式の選択の指示を受信しない場合に、重畳符号化信号についてQPSK復調を実行するように構成される。
【００４０】
第5の態様によれば、本発明は、基地局側に適用される重畳符号化装置であって、
少なくとも2つのユーザ機器UEに個々に送信されるべきビットデータに従って重畳符号化Superposition Coding信号を生成するプロセッサと、
前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信する送信機と
を備えており、
前記送信機は、前記重畳符号化信号を前記少なくとも2つのUEに送信するようにさらに構成されている、重畳符号化装置をさらに提供する。
【００４１】
第5の態様の第1の可能性において、
前記送信機は、前記データ選択情報を運ぶ無線リソース制御RRC信号を前記少なくとも2つのUEに送信するように構成され、あるいは
前記送信機は、前記データ選択情報を運ぶダウンリンク制御情報DCIを前記少なくとも2つのUEに送信するように構成され、あるいは
前記送信機は、前記データ選択情報を示すために用いられるスクランブル符号を使用することによってスクランブルされた周期的冗長検査情報CRCを含むDCIを前記少なくとも2つのUEに送信するように構成される。
【００４２】
第5の態様および第5の態様について考えられる第1の実施のやり方において、第5の態様について考えられる第2の実施のやり方がさらに提供され、第5の態様について考えられる第2の実施のやり方において、前記プロセッサは、前記少なくとも2つのUEに対してそれぞれの復調方式の選択を指示するために個々に使用される情報を生成するように構成され、
前記送信機は、前記プロセッサによって生成され、前記少なくとも2つのUEに対してそれぞれの復調方式の選択を指示するために個々に使用される情報を、前記少なくとも2つのUEに送信するようにさらに構成される。
【００４３】
第5の態様について考えられる第2の実施のやり方において、第5の態様について考えられる第3の実施のやり方がさらに提供され、第5の態様について考えられる第3の実施のやり方において、前記重畳符号化信号の変調方式が16値直交振幅変調QAM変調である場合に、
前記プロセッサは、第1のUEに対して四位相偏移変調QPSK復調の選択を指示するための情報および第2のUEに対して16QAM復調の選択を指示するための情報を生成するように構成され、
前記送信機は、前記プロセッサによって生成され、前記第1のUEに対して四位相偏移変調QPSK復調の選択を指示するための情報を、前記第1のUEに送信し、前記プロセッサによって生成され、前記第2のUEに対して16QAM復調の選択を指示するための情報を、前記第2のUEに送信するように構成され、あるいは
前記プロセッサは、第1のUEに対して16QAM復調の選択を指示するための情報および第2のUEに対して16QAM復調の選択を指示するための情報を生成するように構成され、
前記送信機は、前記第1のUEに対して16QAM復調の選択を指示するための情報を、前記第1のUEに送信し、前記第2のUEに対して16QAM復調の選択を指示するための情報を、前記第2のUEに送信するように構成される。
【００４４】
第5の態様について考えられる第3の実施のやり方において、第5の態様について考えられる第4の実施のやり方がさらに提供され、第5の態様について考えられる第4の実施のやり方において、
前記送信機は、前記プロセッサによって生成された前記第1のUEに対してQPSK復調の選択を指示するための情報および前記第2のUEに対して16QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、あるいは
前記送信機は、前記プロセッサによって生成された前記第1のUEに対して16QAM復調の選択を指示するための情報および前記第2のUEに対して16QAM復調の選択を指示するための情報に従い、前記第1のUEおよび前記第2のUEに通知信号を送信するように構成され、ここで前記第1のUEによって受信されるデータ選択情報は、該第1のUEに対して4ビットの復調後データのうちの最初の2ビットのデータを受信データとして使用するように指示するために使用され、前記第2のUEによって受信されるデータ選択情報は、該第2のUEに対して4ビットの復調後データのうちの最後の2ビットのデータを受信データとして使用するように指示するために使用される。
【００４５】
第5の態様について考えられる第2の実施のやり方において、第5の態様について考えられる第5の実施のやり方がさらに提供され、第5の態様について考えられる第5の実施のやり方において、前記重畳符号化信号の変調方式が64QAM変調である場合に、
前記プロセッサは、第1のUEに対してQPSK復調の選択を指示するための情報を生成するとともに、第2のUEに対して64QAM復調の選択を指示するための情報を生成するようにさらに構成され、
前記送信機は、前記第1のUEに対してQPSK復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して64QAM復調の選択を指示するための情報を生成するようにさらに構成され、
前記送信機は、前記第1のUEに対して16QAM復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して64QAM復調の選択を指示するための情報を生成するようにさらに構成され、
前記送信機は、前記第1のUEに対して64QAM復調の選択を指示するための情報を、前記第1のUEに送信するとともに、前記第2のUEに対して64QAM復調の選択を指示するための情報を、前記第2のUEに送信するようにさらに構成される。
【００４６】
第5の態様について考えられる第5の実施のやり方において、第5の態様について考えられる第6の実施のやり方がさらに提供され、第5の態様について考えられる第6の実施のやり方において、
前記送信機は、前記プロセッサによって生成された前記第1のUEに対してQPSK復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して16QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して6ビットの復調後データのうちの最後の2ビットのデータを受信データとして取得するように指示するために使用され、あるいは
前記送信機は、前記プロセッサによって生成された前記第1のUEに対して16QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して4ビットの復調後データのうちの最初の2ビットのデータ受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して64QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して6ビットの復調後データのうちの最初の2ビットのデータ受信データとして取得するように指示するために使用され、前記第2のUEによって受信されるデータ選択情報は、該第2のUEに対して6ビットの復調後データのうちの最後の4ビットのデータを受信データとして取得するように指示するために使用され、あるいは
前記送信機は、前記プロセッサによって生成された前記第1のUEに対して64QAM復調の選択を指示するための情報および前記第2のUEに対して64QAM復調の選択を指示するための情報に従い、前記第1のUEおよび前記第2のUEに通知信号を送信するように構成され、ここで前記第1のUEによって受信されるデータ選択情報は、該第1のUEに対して6ビットの復調後データのうちの最初の4ビットのデータ受信データとして取得するように指示するために使用され、前記第2のUEによって受信されるデータ選択情報は、該第2のUEに対して6ビットの復調後データのうちの最後の2ビットのデータを受信データとして取得するように指示するために使用される。
【００４７】
第5の態様について考えられる第2の実施のやり方において、第5の態様について考えられる第7の実施のやり方がさらに提供され、第5の態様について考えられる第7の実施のやり方において、前記重畳符号化信号の変調方式が256QAM変調である場合に、
前記プロセッサは、第1のUEに対してQPSK復調の選択を指示するための情報を生成するとともに、第2のUEに対して256QAM復調の選択を指示するための情報を生成するようにさらに構成され、
前記送信機は、前記第1のUEに対してQPSK復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して256QAM復調の選択を指示するための情報を生成するようにさらに構成され、
前記送信機は、前記第1のUEに対して16QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して256QAM復調の選択を指示するための情報を生成するようにさらに構成され、
前記送信機は、前記第1のUEに対して64QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して256QAM復調の選択を指示するための情報を生成するとともに、第2のUEに対して256QAM復調の選択を指示するための情報を生成するように構成され、
前記送信機は、前記第1のUEに対して256QAM復調の選択を指示するための情報を、前記第1のUEに送信するとともに、前記第2のUEに対して256QAM復調の選択を指示するための情報を、前記第2のUEに送信するようにさらに構成される。
【００４８】
第5の態様について考えられる第7の実施のやり方において、第5の態様について考えられる第8の実施のやり方がさらに提供され、第5の態様について考えられる第8の実施のやり方において、
前記送信機は、前記プロセッサによって生成された前記第1のUEに対してQPSK復調の選択を指示するための情報および前記第2のUEに対して256QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される。
【００４９】
第5の態様について考えられる第2の実施のやり方において、第5の態様について考えられる第9の実施のやり方がさらに提供され、第5の態様について考えられる第9の実施のやり方において、前記重畳符号化信号の変調方式が256QAM変調である場合に、
前記プロセッサは、第1のUEに対してQPSK復調の選択を指示するための情報、第2のUEに対して16QAM復調の選択を指示するための情報、および第3のUEに対して256QAM復調の選択を指示するための情報を生成するように構成され、
前記送信機は、前記第1のUEに対してQPSK復調の選択を指示するための情報を前記第1のUEに送信し、前記第2のUEに対して16QAM復調の選択を指示するための情報を前記第2のUEに送信し、前記第3のUEに対して256QAM復調の選択を指示するための情報を前記第3のUEに送信するように構成され、あるいは
前記プロセッサは、第1のUE、第2のUE、および第3のUEのすべてに対して256QAM復調の選択を指示するようにさらに構成され、
前記送信機は、前記第1のUEに対して256QAM復調の選択を指示するための情報を前記第1のUEに送信し、前記第2のUEに対して256QAM復調の選択を指示するための情報を前記第2のUEに送信し、前記第3のUEに対して256QAM復調の選択を指示するための情報を前記第3のUEに送信するように構成される。
【００５０】
第5の態様について考えられる第9の実施のやり方において、第5の態様について考えられる第10の実施のやり方がさらに提供され、第5の態様について考えられる第10の実施のやり方において、
前記送信機は、前記プロセッサによって生成された前記第1のUEに対してQPSK復調の選択を指示するための情報、前記第2のUEに対して16QAM復調の選択を指示するための情報、および前記第3のUEに対して256QAM復調の選択を指示するための情報に従って、前記第1のUE、前記第2のUE、および前記第3のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報、前記第2のUEに対して256QAM復調の選択を指示するための情報、および前記第3のUEに対して256QAM復調の選択を指示するための情報に従って、前記第1のUE、前記第2のUE、および前記第3のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される。
【００５１】
第5の態様および第5の態様について考えられる第1の実施のやり方において、第5の態様について考えられる第11の実施のやり方がさらに提供され、第5の態様について考えられる第11の実施のやり方において、本装置は、
前記少なくとも2つのUEによって送信される復調能力情報を個々に取得する受信機
をさらに備え、
前記送信機は、前記受信機によって取得された前記少なくとも2つのUEのうちの第1のUEの復調能力情報が、QPSK復調だけがサポートされるというものである場合に、前記第1のUEへの通知信号の送信を省略するように構成される。
【００５２】
第6の態様によれば、本発明は、UE側に適用される重畳符号化装置であって、
基地局によって送信された通知信号であって、受信される重畳符号化信号から復調されるビットデータから特定の量でありかつ特定の位置にある少なくとも1ビットのデータを受信データとして取得するようにUEに対して指示するために使用されるデータ選択情報を運んでいる通知信号を、受信するように構成され、かつ前記基地局によって送信された重畳符号化信号を受信するようにさらに構成された受信機と、
前記受信機によって受信された重畳符号化信号を復調し、前記受信機によって受信されたデータ選択情報に従って、前記重畳符号化信号から復調されたビットデータから受信データを取得する復調器と
を備える重畳符号化装置をさらに提供する。
【００５３】
第6の態様について考えられる第1の実施のやり方において、
前記受信機は、前記データ選択情報を運ぶ前記基地局によって送信された無線リソース制御RRC信号を受信するように構成され、あるいは
前記受信機は、前記データ選択情報を運ぶ前記基地局によって送信されたダウンリンク制御情報DCIを受信するように構成され、あるいは
前記受信機は、前記データ選択情報を示すために用いられるスクランブル符号を使用することによってスクランブルされた周期的冗長検査情報CRCを含む前記基地局によって送信されたDCIを受信するように構成される。
【００５４】
第6の態様または第6の態様について考えられる第1の実施のやり方において、第6の態様について考えられる第2の実施のやり方がさらに提供され、第6の態様について考えられる第2の実施のやり方において、本装置は、プロセッサをさらに備え、
前記受信機は、前記基地局によって送信され、復調方式の選択に使用される指示を受信するように構成され、
前記プロセッサは、前記受信機によって受信される指示に従って特定の復調方式を選択するように構成され、
前記復調器は、前記プロセッサによって選択された前記特定の復調方式に従って前記重畳符号化信号を復調するように構成される。
【００５５】
第6の態様について考えられる第2の実施のやり方において、第6の態様について考えられる第3の実施のやり方がさらに提供され、第6の態様について考えられる第3の実施のやり方において、前記受信ユニットは、
前記プロセッサが前記受信機によって受信された指示に従って四位相偏移変調QPSK復調を選択するときに、復調後データの両方のビットを受信データとして取得する旨のデータ選択情報を運ぶ通知信号を受信し、あるいは
前記プロセッサが前記受信機によって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って16値直交振幅変調QAM復調を選択するときに、復調後データの4つのビットのすべてを受信データとして取得する旨のデータ選択情報を運ぶ通知信号を受信し、あるいは
前記プロセッサが前記受信機によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って64QAM復調を選択するときに、復調後データの6つのビットのすべてを受信データとして取得する旨のデータ選択情報を運ぶ通知信号を受信し、あるいは
前記プロセッサが前記受信機によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成される。
【００５６】
第6の態様ならびに第6の態様について考えられる第1、第2、および第3の実施のやり方において、第6の態様について考えられる第4の実施のやり方がさらに提供され、第6の態様について考えられる第4の実施のやり方において、前記復調器は、前記受信機が前記基地局によって送信される復調方式の選択の指示を受信しない場合に、重畳符号化信号についてQPSK復調を実行するように構成される。
【００５７】
第7の態様によれば、本発明は、基地局と少なくとも2つのユーザ機器UEとを含む重畳符号化システムをさらに提供し、
基地局は、少なくとも2つのUEに個々に送信されるべきビットデータに従って重畳符号化Superposition Coding信号を生成し、少なくとも2つのUEのうちの少なくとも1つのUEに通知信号を送信するように構成され、ここで通知信号は、データ選択情報を運び、データ選択情報は、UEに対して、重畳符号化信号から復調されたビットデータから、特定の量でありかつ特定の位置にある少なくとも1ビットのデータを受信データとして取得するように指示するために使用され、
UEは、基地局によって送信された通知信号を受信するように構成され、
基地局は、重畳符号化信号を少なくとも2つのUEに送信するようにさらに構成され、
UEは、基地局によって送信された重畳符号化信号を受信し、重畳符号化信号を復調し、データ選択情報に従って、重畳符号化信号から復調されたビットデータから受信データを取得するようにさらに構成される。
【００５８】
第8の態様によれば、本発明は、基地局と少なくとも2つのユーザ機器UEとを含む重畳符号化システムをさらに提供し、
基地局は、少なくとも2つのUEに個々に送信されるべきビットデータに従って重畳符号化Superposition Coding信号を生成し、少なくとも2つのUEのうちの少なくとも1つのUEに通知信号を送信するように構成され、ここで通知信号は、データ選択情報を運び、データ選択情報は、UEに対して、重畳符号化信号から復調されたビットデータから、特定の量でありかつ特定の位置にある少なくとも1ビットのデータを受信データとして取得するように指示するために使用され、
UEは、基地局によって送信された通知信号を受信するように構成され、
基地局は、重畳符号化信号を少なくとも2つのUEに送信するようにさらに構成され、
UEは、基地局によって送信された重畳符号化信号を受信し、重畳符号化信号を復調し、データ選択情報に従って、重畳符号化信号から復調されたビットデータから受信データを取得するようにさらに構成される。
【００５９】
本発明によって提供される重畳符号化方法、装置、およびシステムにおいて、基地局は、少なくとも2つのUEに個々に送信されるべきビットデータに従って重畳符号化信号を生成し、少なくとも2つのUEのうちの少なくとも1つのUEにデータ選択情報を運ぶ通知信号を送信することができ、ここでデータ選択情報は、UEに対して、重畳符号化信号から復調されたビットデータから、特定の量でありかつ特定の位置にある少なくとも1ビットのデータを受信データとして取得するように指示するために使用される。UEは、基地局によって送信された通知信号および重畳符号化信号を受信した後で、重畳符号化信号を復調し、通知信号にて運ばれたデータ選択情報に従って、重畳符号化信号から復調されたビットデータから受信データを取得する。基地局がUEに対して復調後のビットデータから特定の量でありかつ特定の位置にあるビットデータを選択するように指示するやり方を使用することによって、LTEシステム、UMTSシステム、およびCDMAシステムなどの通信システムにおける重畳符号化技術の応用が実行される。
【００６０】
本発明の実施形態または先行技術における技術的解決策をより明瞭に説明するために、実施形態または先行技術の説明に必要な添付の図面を、以下で簡単に紹介する。当然ながら、以下の説明における添付の図面は、あくまでも本発明のいくつかの実施形態を示すにすぎず、当業者であれば、これらの添付の図面から創造的な努力を必要とすることなく他の図を依然として導出することができる。
【図面の簡単な説明】
【００６１】
【図１（ａ）】重畳符号化の配置図である。
【図１（ｂ）】重畳符号化の配置図である。
【図１（ｃ）】重畳符号化の配置図である。
【図１（ｄ）】重畳符号化の配置図である。
【図２】本発明の実施形態による重畳符号化方法のフロー図である。
【図３】本発明の実施形態による別の重畳符号化方法のフロー図である。
【図４】本発明の実施形態による基地局の概略の構造図である。
【図５】本発明の実施形態による別の基地局の概略の構造図である。
【図６】本発明の実施形態によるUEの概略の構造図である。
【図７】本発明の実施形態による別のUEの概略の構造図である。
【図８】本発明の実施形態による重畳符号化システムの概略図である。
【図９】本発明の実施形態によるさらに別の基地局の概略の構造図である。
【図１０】本発明の実施形態によるさらに別のUEの概略の構造図である。
【図１１】本発明の実施形態による別の重畳符号化システムの概略図である。
【発明を実施するための形態】
【００６２】
以下で、実施形態における添付の図面を参照して、実施形態における技術的解決策を、明瞭かつ充分に説明する。当然ながら、説明される実施形態は、あくまでも本発明のいくつかの実施形態にすぎず、本発明のすべての実施形態ではない。当業者であれば本発明の実施形態にもとづいて創造的な努力を必要とすることなく得ることができるすべての他の実施形態も、本発明の保護の範囲に含まれる。
【００６３】
本発明において、基地局によって重畳符号化技術を使用することによって生成される信号は、重畳符号化信号と称される。図1に示されるように、2つのUE（第1のUEおよび第2のUE）に重畳符号化信号を送信する基地局が例として使用され、ここで図1（a）における×印は、第1のUEの配置点（constellation point）であり、図1（b）における三角印は、第2のUEの配置点である。×印の配置点に対応する送信パワーは、三角印の配置点に対応する送信パワーよりも大きく、ベクトル重畳後に、2つのUEの配置図（constellation diagram）は、図1（c）に示される重畳後配置図を形成し、すなわち基地局の配置図が、図1（c）に示されている。重畳符号化信号の受信後に、第1のUEおよび第2のUEは、重畳符号化信号を別々に復調して、それぞれの受信データを得る。重畳符号化技術において、基地局は、複数のUEに複数のデータ信号を送信するために異なる送信パワーを使用し、複数のデータ信号を送信するために同じ時間−周波数リソースを使用することができる。重畳符号化技術の受信後に、UEは、同じ重畳符号化信号を異なる復調ルールを使用して復調して、UEが必要とするそれぞれの受信データを得る。
【００６４】
以下の実施形態においては、LTE通信システムが、説明用の例として使用される。この実施形態において、基地局は、LTEシステムにおける発展型基地局（evolved Node B、略してeNB）であってよく、UEは、携帯電話機などの通信装置であってよい。基地局は、UMTS通信システムにおける無線ネットワークコントローラ（Radio Network Controller、略してRNC）などであってもよい。
【００６５】
この実施形態が、図1を参照して以下で詳しく説明される。この実施形態は、重畳符号化方法を提供し、この方法を、基地局側において適用することができ、図2に示されるように、この方法は、以下のステップを含む。
【００６６】
ステップ201：基地局が、少なくとも2つのUEに個々に送信されるべきビットデータに従って重畳符号化信号を生成する。
【００６７】
重畳符号化信号をUEに送信する前に、基地局は、重畳符号化信号を受信するUEのグループを明らかにすることができ、一般的な場合において、基地局は、異なるチャネル条件を有するいくつかのUEを重畳符号化信号を受信するUEのグループとして選択する。例えば、基地局が2つのUEに重畳符号化信号を送信する場合に、基地局は、しきい値を設定することができ、次いでUEによって報告されるチャネル品質インジケータ（Channel Quality Indicator、略してCQI）をしきい値と比較することができ、チャネル品質インジケータがしきい値よりも大きいUEおよびチャネル品質インジケータがしきい値よりも小さいUEを、基地局によって送信される重畳符号化信号を受信する1つのグループにグループ化することができる。加えて、UEの変調／復調能力も、グループ化の際に考慮することができる。例えば、いくつかのマシン・ツー・マシン（Machine to Machine、略してM2M）機器など、限られた変調能力しか持たないいくつかのUEは、QPSK復調しかサポートせず、最大2ビットの情報しか取得できず、基地局は、四位相偏移変調信号（Quadrature Phase Shift Keying、略してQPSK）復調だけをサポートするUEと、例えば16値直交振幅変調（Quadrature Amplitude Modulation、略して16QAM）復調能力をサポートできるUEなどのより高い復調能力を有するUEとを、1つのグループにグループ化することができる。
【００６８】
複数のUEに送信されるべき信号について重畳符号化および変調を実行した後で、基地局は、複数のUEに信号を個々に送信する。例えば、基地局は、第1のUEに送信されるべき信号1、第2のUEに送信されるべき信号2、および第3のUEに送信されるべき信号3を重畳させて重畳符号化信号4を得、次いで重畳符号化信号4を第1のUE、第2のUE、および第3のUEに個々に送信する。
【００６９】
LTEシステムにおいて、基地局は、以下の変調方式、すなわち16QAM変調、64QAM変調、または256QAM変調のうちの任意の1つを、重畳符号化信号の変調方式として使用することができる。64QAM変調が使用される場合、基地局による変調後に得られる重畳符号化信号に対応する1つの配置点は、6ビットのデータ、すなわち26=64を表し、256QAM変調が使用される場合、基地局による変調後に得られる重畳符号化信号に対応する1つの配置点は、8ビットのデータ、すなわち28=256を表す。
【００７０】
一般に、基地局がUEに重畳符号化信号を送信するときに使用される送信パワーは、無作為に選択されるのではなく、複数のUEについて基地局が使用する個々の送信パワーは、固定の比を有し、例えば基地局が16QAM変調を使用する場合には、基地局が使用する2つの送信パワーの間の比は、4：1のはずである。
【００７１】
ステップ202：基地局は、少なくとも2つのUEのうちの少なくとも1つのUEに通知信号を送信する。
【００７２】
基地局は、データ選択情報を通知信号に加え、ここでデータ選択情報は、復調後のビットデータから特定の量でありかつ特定の位置にある少なくとも1ビットのデータを受信データとして取得するように、UEに対して指示するために使用される。
【００７３】
この実施形態において、特定の量は、例えば2ビット、4ビット、または6ビットなど、偶数量のビットデータであってよく、特定の位置は、例えば符号化信号のデータの最初のビットから出発してデータの2つのビット（すなわち、データの最初のビットおよびデータの2番目のビット）を取得するなど、復調後の符号化信号のデータの最初のビットから出発してビットデータを連続して取得することを指すことができる。
【００７４】
例えば、UEが16QAM復調を使用する（したがって、4ビットのデータが復調によって得られる）場合、基地局は、4ビットのデータのうちの最後の2ビットのデータを受信データとして取得するようにUEに対して指示するためにデータ選択情報を使用することができる。基地局は、少なくとも1つのUEのうちの各々のUEに1つの通知信号を個々に送信することができ、ここで各々の信号は、そのUEに対応するデータ選択情報を運ぶ。別の実施のやり方として、基地局は、1つの通知信号に複数のUEに対応する複数のデータ選択情報を付加し、次いで通知信号を複数のUEにブロードキャストまたはマルチキャストすることもできる。この実施形態は、基地局による通知信号の送信のやり方を限定するものではない。
【００７５】
UEが使用する復調方式が、二位相偏移変調（Binary Phase Shift Keying、略してBPSK）である場合、UEは、受信データとして復調後のビットデータから1ビットを取得することができる。
【００７６】
通知信号は、すべてのUEに送信されなくてもよい。例えば、通信システムがQPSK復調方式だけをサポートし、すなわちすべてのUEが復調のためにQPSK復調方式を使用する場合、基地局は、必ずしもUEに通知信号を送信する必要がなく、デフォルトとして、UEは、復調後に得ることができるすべてのビットを受信データとして取得することができる。
【００７７】
さらに、通知情報は、変調／復調能力が限られており、あるいはデフォルトの変調方式を持つ一部のUEに送信されなくてもよい。UEが変調／復調方式としてQPSKだけしかサポートできない場合、基地局は、必ずしもそのUEに通知信号を送信する必要がなく、デフォルトとして、UEは、復調後に得ることができるすべてのビットを受信データとして取得することができる。例えば、いくつかのMTC機器は、最低のQPSK変調／復調方式しかサポートせず、RRC接続の登録または設定の前に、MTC機器は、MTC機器の変調／復調能力を基地局に報告することができる。基地局によって送信された信号を受信した後で、これらのM2M機器は、デフォルトとしてQPSKに従って受信信号を復調し、復調後に得ることができるすべてのビットを受信データとして取得し、あるいはデフォルトの変調方式がQPSK変調／復調方式であるいくつかのUEにおいて、基地局がいかなる通知信号も送信していない場合に、UEは、デフォルトとしてQPSKに従って受信信号を復調し、復調後に得ることができるすべてのビットを受信データとして取得する。
【００７８】
具体的には、基地局によるUEへの通知信号の送信の実施のやり方は、以下の3つのやり方のいずれかであってよい。
【００７９】
1）基地局が、少なくとも2つのUEに無線リソース制御（Radio Resource Control、略してRRC）信号を送信し、RRC信号がデータ選択情報を運ぶ。
【００８０】
2）基地局が、新たに定められるダウンリンク制御情報（Downlink Control Information、略してDCI）信号を少なくとも2つのUEに送信し、ここでDCIが、受信データを取得するようにUEに対して指示するためのフィールドを含み、このフィールドがデータ選択情報を運ぶ。
【００８１】
3）基地局が、DCIを少なくとも2つのUEに送信し、ここでDCI内の周期的冗長検査情報（Cyclic Redundancy Check、略してCRC）が、スクランブル符号を使用することによってスクランブルされ、このスクランブル符号が、データ選択情報を示すために使用される。
【００８２】
送信のリソースを減らすために、通常は、基地局がすべての変調後ビットデータを複数のUEに割り当て、すなわち複数のUEによって取得されるビットデータのビットの合計が、基地局によって使用される変調方式に対応するビットの量と同じであることに、注意すべきである。例えば、基地局の変調方式が64QAMである場合、基地局による変調後に得られるビットの量は、6である。2つのUEという状況において、基地局は、6ビットのデータのうちの最初の2ビットのデータを取得するように第1のUEに指示し、6ビットのデータのうちの最後の4ビットのデータを取得するように第2のUEに指示する。あるいは、基地局の変調方式が256QAMである場合、変調後に得られるビットの量は、8である。やはり2つのUEという状況において、基地局は、8ビットのデータのうちの最初の6ビットのデータを取得するように第1のUEに指示し、8ビットのデータのうちの最後の2ビットのデータを取得するように第2のUEに指示する。
【００８３】
随意により、ステップ202の前に、基地局は、少なくとも1つのUEに対して、例えばQPSK復調、16値直交振幅変調QAM復調、64QAM復調、または256QAM復調などの特定の復調方式を選択するようにさらに指示することができる。
【００８４】
さらに、基地局は、変調／復調能力が限られており、あるいはデフォルトの変調方式を持つ一部のUEに、通知情報を送信しなくてもよい。UEが変調／復調方式としてQPSKだけしかサポートできない場合、基地局は、そのUEに通知信号を送信しなくてもよく、デフォルトとして、UEは、復調後に得ることができるすべてのビットを受信データとして取得することができる。例えば、いくつかのMTC機器は、最低のQPSK変調／復調方式しかサポートせず、RRC接続の登録または設定の前に、MTC機器は、MTC機器の変調／復調能力を基地局に報告することができる。基地局によって送信された信号を受信した後で、これらのM2M機器は、デフォルトとしてQPSKに従って受信信号を復調し、復調後に得ることができるすべてのビットを受信データとして取得し、あるいはデフォルトの変調方式がQPSK変調／復調方式であるいくつかのUEにおいて、基地局がいかなる通知信号も送信していない場合に、UEは、デフォルトとしてQPSKに従って受信信号を復調し、復調後に得ることができるすべてのビットを受信データとして取得する。
【００８５】
この実施形態において、基地局は、複数のUEに対して、同じ復調方式に従って変調を実行するように指示することができ、あるいは複数のUEに対して、異なる復調方式に従って復調を実行するように指示することができる。例えば、変調方式が16QAMである場合、基地局は、第1のUEおよび第2のUEの両者に対して16QAM復調を選択するように指示することができ、復調によって4ビットのデータが得られた後で、基地局は、4ビットのデータのうちの最初の2ビットのデータを受信データとして取得するように第1のUEに指示するとともに、4ビットのデータのうちの最後の2ビットのデータを受信データとして取得するように第2のUEに指示し、あるいは基地局は、QPSK復調を選択して復調後のデータの両方のビットを受信データとして使用するように第1のUEに対して指示するとともに、16QAM復調を選択して4ビットの復調後データのうちの最後の2ビットのデータを受信データとして使用するように第2のUEに対して指示することができる。この実施形態は、基地局がUEに対して復調方式の選択を指示する実施のやり方を限定するものではない。
【００８６】
図1（c）において、より良好なチャネル品質を有する第2のUEは、第2のUEの配置点が位置する象限を検出する必要があり、すなわち第2のUEは、重畳符号化信号を復調して象限を表すための2ビットの情報を得る必要があり、より低いチャネル品質の第1のUEは、象限内のどの特定の配置点が第1のUEの配置点であるかを検出する必要があり、すなわち第1のUEは、重畳符号化信号を復調して配置点を表すための情報の少なくとも2ビットを得る必要がある。基地局が重畳符号化信号の変調に16QAM変調を使用する実施例を用いると、基地局に対応する配置図が図1（d）に示されており、ここで基地局は、16QAM変調によって16個の配置点を得て、各々の配置点は、4ビットのデータを使用する異によって一意に特定される。より良好なチャネル品質を有する第2のUEが重畳符号化信号を受信した後に、基地局は、重畳符号化信号について16QAM復調を実行するように第2のUEに対して指示するとともに、4ビットの復調後データのうちの最後の2ビットのデータ「10」を受信データとして使用するように第2のUEに対して指示し、ここで2ビットのデータ「10」は、第2のUEの配置点が「10」によって特定される第2象限に位置することを表しており、より低いチャネル品質の第1のUEが重畳符号化信号を受信した後に、基地局は、重畳符号化信号についてQPSK復調を実行するように第1のUEに対して指示するとともに、復調後のデータ「00」の両方のビットを受信データとして取得するように第1のUEに対して指示し、ここで2ビットのデータ「00」は、第1のUEの配置点が第2象限内の「1000」によって特定される配置点であることを表している。
【００８７】
ステップ203：基地局は、重畳符号化信号を少なくとも2つのUEに送信する。
【００８８】
基地局は、少なくとも2つのUEに重畳符号化信号を送信し、少なくとも2つのUEは、受信した重畳符号化信号を個々に復調するとともに、少なくとも2つのUEのうちの少なくとも1つのUEは、復調後のビットデータから、ステップ202において受信した通知信号に従い、特定の量でありかつ特定の位置にある少なくとも1ビットのデータを受信データとして取得する。
【００８９】
本発明のこの実施形態によってもたらされる重畳符号化方法において、基地局は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、復調後のビットデータからデータ選択情報に従って少なくとも1ビットのデータを受信データとして取得する。基地局がUEに対して復調後のビットデータから特定の量でありかつ特定の位置にあるビットデータを選択するように指示するやり方を使用することによって、LTEシステム、UMTSシステム、およびCDMAシステムなどの通信システムにおける重畳符号化技術の応用が実行される。
【００９０】
さらに、先行技術において、第1のUEと第2のUEとの間の復調の干渉を回避するために、より良好なチャネル品質を有する第2のUEは、逐次干渉除去（Successive Interference Cancellation、略してSIC）機能を有する必要がある。この実施形態によってもたらされる重畳符号化方法においては、基地局が通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件を軽減することができる。
【００９１】
この実施形態は、UE側に適用することができる重畳符号化方法をさらに提供し、図3に示されるように、この方法は、以下のステップを含む。
【００９２】
ステップ301：UEが、基地局によって送信された通知信号を受信する。
【００９３】
通知信号は、復調後のビットデータから特定の量でありかつ特定の位置にある少なくとも1ビットのデータを受信データとして取得するようにUEに対して指示するために使用されるデータ選択情報を運ぶ。例えば、UEが16QAM復調を使用する（したがって、4ビットのデータが復調によって得られる）場合、基地局は、4ビットのデータのうちの最後の2ビットのデータを受信データとして取得するようにUEに対して指示するためにデータ選択情報を使用することができる。
【００９４】
具体的には、基地局によって送信される通知信号のUEによる受信の実施のやり方は、以下の3つのやり方のうちのいずれかであってよい。
【００９５】
1）UEが、基地局によって送信されるRRC信号を受信し、ここでRRC信号が、データ選択情報を運ぶ。
【００９６】
2）UEが、基地局によって送信される新たに定められるDCIを受信し、ここでDCIは、UEに対して受信データの取得を指示するためのフィールドを含んでおり、このフィールドが、データ選択情報を運ぶ。
【００９７】
3）UEが、基地局によって送信されるDCIを受信し、ここでDCI内のCRC情報が、スクランブル符号を使用することによってスクランブルされ、このスクランブル符号が、データ選択情報を示すために使用される。
【００９８】
ステップ302：UEが、基地局によって送信された重畳符号化信号を受信する。
【００９９】
ステップ303：UEが、重畳符号化信号を復調し、データ選択情報に従い、重畳符号化信号から復調されたビットデータから、受信データを取得する。
【０１００】
UEが使用することができる復調方式として、以下の復調方式、すなわちQPSK復調、16QAM復調、64QAM復調、および256QAM復調のうちのいずれかが挙げられる。
【０１０１】
この実施形態において、UEによって使用される復調方式は、基地局によって前もって通知され、デフォルト設定としてUEによって使用される復調方式であってよく、あるいは基地局によって一時的に通知される復調方式であってよい。随意により、基地局によって送信された重畳符号化信号の復調の前に、UEは、基地局によって送信される指示信号を受信し、基地局の指示に応じて特定の復調方式を選択し、次いでその特定の復調方式に従って、基地局によって送信された重畳符号化信号の復調を行うことができる。
【０１０２】
基地局がUEに対して16QAM復調を使用するように指示する場合、データ選択情報は、4ビットの復調後データのうちの最後の2ビットのデータを受信データとして取得することであり、UEは、このデータ選択情報に従って、特定の量でありかつ特定の位置にある2ビットのデータを取得する。あるいは、基地局がUEに対してQPSK復調を使用するように指示する場合、データ選択情報は、復調後のデータの両方のビットを受信データとして取得することであり、UEは、このデータ選択情報に従って、特定の量でありかつ特定の位置にある2ビットのデータを取得する。この実施形態は、データ選択情報の具体的内容を限定するものではない。
【０１０３】
例えば、種々の復調方式について、データ選択情報の具体的内容は、以下を含むことができる。
【０１０４】
1）基地局によって示された復調方式がQPSK復調である場合、データ選択情報は、復調後のデータの両方のビットを受信データとして取得することである。
【０１０５】
2）基地局によって示された復調方式が16QAM復調である場合、データ選択情報は、4ビットの復調後データのうちの最初の2ビットのデータまたは最後の2ビットのデータを受信データとして取得することであり、あるいはデータ選択情報は、復調後データの4つのビットのすべてを受信データとして取得することである。
【０１０６】
3）基地局によって示された復調方式が64QAM復調である場合、データ選択情報は、6ビットの復調後データのうちの最初の2ビットのデータまたは最後の2ビットのデータを受信データとして取得することであり、あるいはデータ選択情報は、6ビットの復調後データのうちの最初の4ビットのデータまたは最後の4ビットのデータを受信データとして取得することであり、もしくはデータ選択情報は、復調後データの6つのビットのすべてを受信データとして取得することである。
【０１０７】
4）基地局によって示された復調方式が256QAM復調である場合、データ選択情報は、8ビットの復調後データのうちの最初の2ビットのデータまたは最後の2ビットのデータを受信データとして取得することであり、あるいはデータ選択情報は、8ビットの復調後データのうちの最初の4ビットのデータまたは最後の4ビットのデータを受信データとして取得することであり、もしくはデータ選択情報は、8ビットの復調後データのうちの最初の6ビットのデータまたは最後の6ビットのデータを受信データとして取得することである。
【０１０８】
データ選択情報を運んでいる通知信号を受信した後に、UEは、データ選択情報の指示を実行し、データ選択情報によって示される特定の量および特定の位置に従って、復調後のビットデータから少なくとも1ビットのデータを受信データとして取得する。
【０１０９】
随意により、基地局によって送信される復調方式の選択の指示が受信されない場合、UEは、デフォルトとして重畳符号化信号についてQPSK復調を実行する。
【０１１０】
本発明のこの実施形態によってもたらされる重畳符号化方法において、UEは、基地局によって送信される重畳符号化信号を受信し、次いで基地局によって送信されるデータ選択情報を運ぶ通知信号を受信でき、ここでデータ選択情報は、UEに対して、復調後のビットデータから特定の量でありかつ特定の位置にある少なくとも1ビットのデータを受信データとして取得するように指示するために使用される。通知信号の受信後に、UEは、データ選択情報に従って、復調後のビットデータから少なくとも1ビットのデータを受信データとして取得する。基地局がUEに対して復調後のビットデータから特定の量でありかつ特定の位置にあるビットデータを選択するように指示するやり方を使用することによって、LTEシステム、UMTSシステム、およびCDMAシステムなどの通信システムにおける重畳符号化技術の応用が実行される。
【０１１１】
さらに、この実施形態によってもたらされる重畳符号化方法においては、UEが、通知信号を受信することによって特定のビットの受信を指示するデータ選択情報を取得するため、UE間の復調の干渉を回避することができ、したがってUEがSIC機能を有する必要がなく、UEの機能に対する重畳符号化技術の制限的要件を軽減することができる。
【０１１２】
LTEシステムにおいて使用される重畳符号化技術に関係するUEの量は、2つまたは3つ以上であってよい。この実施形態は、UEが2つである状況を例として使用することにより、図2および図3に示される実施のやり方を参照して、以下で詳しく説明され、さらに拡張される。UEが2つである状況を参照して、UEの量が3つ以上である状況を、創造的な努力を必要とすることなく実施することが可能である。
【０１１３】
その1：基地局が重畳符号化信号に16QAM変調を使用する場合
【０１１４】
1）基地局が、第1のUEに対してQPSK復調の選択を指示し、第2のUEに対して16QAM復調の選択を指示し、次いで第1のUEおよび第2のUEに通知信号を送信し、ここで第1のUEによって受信されるデータ選択情報は、第1のUEに対して復調後データの両方のビットを受信データとして取得するように指示するために使用され、第2のUEによって受信されるデータ選択情報は、第2のUEに対して4ビットの復調後データのうちの最後の2ビットのデータを受信データとして取得するように指示するために使用される。変調／復調の結果は、16QAM==>QPSK+QPSKに相当し、ここで式の左辺は、基地局が16QAM変調によって4ビットのデータを得ることを表し、式の右辺の最初のQPSKは、第1のUEがQPSK復調を使用してデータの両方のビットを得ることを表し、式の右辺の2番目のQPSKは、第2のUEが16QAM復調を使用して4ビットのデータのうちの最後の2ビットのデータを得、これが第2のUEがQPSK復調を使用することと同等であることを表している。
【０１１５】
2）基地局が、第1のUEおよび第2のUEの両方に対して16QAM復調の選択を指示し、次いで第1のUEおよび第2のUEに通知信号を送信し、ここで第1のUEによって受信されるデータ選択情報は、第1のUEに対して4ビットの復調後データのうちの最初の2ビットのデータを受信データとして使用するように指示するために使用され、第2のUEによって受信されるデータ選択情報は、第2のUEに対して4ビットの復調後データのうちの最後の2ビットのデータを受信データとして使用するように指示するために使用される。変調／復調の結果は、16QAM==>QPSK+QPSKに相当し、ここで式の左辺は、基地局が16QAM変調によって4ビットのデータを得ることを表し、式の右辺の最初のQPSKは、第1のUEが16QAM復調を使用して4ビットのデータのうちの最初の2ビットのデータを得、これが第1のUEがQPSK復調を使用することと同等であることを表し、式の右辺の2番目のQPSKは、第2のUEが16QAM復調を使用して4ビットのデータのうちの最後の2ビットのデータを得、これが第2のUEがQPSK復調を使用することと同等であることを表している。
【０１１６】
その2：基地局が重畳符号化信号に64QAM変調を使用する場合
【０１１７】
1）基地局が、第1のUEに対してQPSK復調の選択を指示し、第2のUEに対して64QAM復調の選択を指示し、次いで第1のUEおよび第2のUEに通知信号を送信し、ここで第1のUEによって受信されるデータ選択情報は、第1のUEに対して復調後データの両方のビットを受信データとして取得するように指示するために使用され、第2のUEによって受信されるデータ選択情報は、第2のUEに対して6ビットの復調後データのうちの最後の4ビットのデータを受信データとして取得するように指示するために使用される。変調／復調の結果は、64QAM==>QPSK+16QAMに相当し、ここで式の左辺は、基地局が64QAM変調によって6ビットのデータを得ることを表し、式の右辺のQPSKは、第1のUEがQPSK復調を使用してデータの両方のビットを得ることを表し、式の右辺の16QAMは、第2のUEが64QAM復調を使用して6ビットのデータのうちの最後の4ビットのデータを得、これが第2のUEが16QAM復調を使用することと同等であることを表している。
【０１１８】
2）基地局が、第1のUEに対して16QAM復調の選択を指示し、第2のUEに対して64QAM復調の選択を指示し、次いで第1のUEおよび第2のUEに通知信号を送信し、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用される。変調／復調の結果は、64QAM==>16QAM+QPSKに相当し、ここで式の左辺は、基地局が64QAM変調によって6ビットのデータを得ることを表し、式の右辺の16QAMは、第1のUEが16QAM復調を使用してデータの4つのビットのすべてを得ることを表し、式の右辺のQPSKは、第2のUEが64QAM復調を使用して6ビットのデータのうちの最後の2ビットのデータを得、これが第2のUEがQPSK復調を使用することと同等であることを表している。
【０１１９】
3）基地局が、第1のUEに対して16QAM復調の選択を指示し、第2のUEに対して64QAM復調の選択を指示し、次いで第1のUEおよび第2のUEに通知信号を送信し、ここで第1のUEによって受信されるデータ選択情報は、第1のUEに対して復調後データの4つのビットのうちの最初の2ビットのデータを受信データとして取得するように指示するために使用され、第2のUEによって受信されるデータ選択情報は、第2のUEに対して6ビットの復調後データのうちの最後の4ビットのデータを受信データとして取得するように指示するために使用される。変調／復調の結果は、64QAM==>QPSK+16QAMに相当し、ここで式の左辺は、基地局が64QAM変調によって6ビットのデータを得ることを表し、式の右辺のQPSKは、第1のUEが16QAM復調を使用して4ビットのデータのうちの最初の2ビットのデータを得、これが第1のUEがQPSK復調を使用することと同等であることを表し、式の右辺の16QAMは、第2のUEが64QAM復調を使用して6ビットのデータのうちの最後の4ビットのデータを得、これが第2のUEが16QAM復調を使用することと同等であることを表している。
【０１２０】
4）基地局が、第1のUEおよび第2のUEの両方に対して64QAM復調の選択を指示し、次いで第1のUEおよび第2のUEに通知信号を送信し、ここで第1のUEによって受信されるデータ選択情報は、第1のUEに対して6ビットの復調後データのうちの最初の2ビットのデータを受信データとして使用するように指示するために使用され、第2のUEによって受信されるデータ選択情報は、第2のUEに対して6ビットの復調後データのうちの最後の4ビットのデータを受信データとして使用するように指示するために使用される。変調／復調の結果は、64QAM==>QPSK+16QAMに相当し、ここで式の左辺は、基地局が64QAM変調によって6ビットのデータを得ることを表し、式の右辺のQPSKは、第1のUEが64QAM復調を使用して6ビットのデータのうちの最初の2ビットのデータを得、これが第1のUEがQPSK復調を使用することと同等であることを表し、式の右辺の16QAMは、第2のUEが64QAM復調を使用して6ビットのデータのうちの最後の4ビットのデータを得、これが第2のUEが16QAM復調を使用することと同等であることを表している。
【０１２１】
5）基地局が、第1のUEおよび第2のUEの両方に対して64QAM復調の選択を指示し、次いで第1のUEおよび第2のUEに通知信号を送信し、ここで第1のUEによって受信されるデータ選択情報は、第1のUEに対して6ビットの復調後データのうちの最初の4ビットのデータを受信データとして使用するように指示するために使用され、第2のUEによって受信されるデータ選択情報は、第2のUEに対して6ビットの復調後データのうちの最後の2ビットのデータを受信データとして使用するように指示するために使用される。変調／復調の結果は、64QAM==>16QAM+QPSKに相当し、ここで式の左辺は、基地局が64QAM変調によって6ビットのデータを得ることを表し、式の右辺の16QAMは、第1のUEが64QAM復調を使用して6ビットのデータのうちの最初の4ビットのデータを得、これが第1のUEが16QAM復調を使用することと同等であることを表し、式の右辺のQPSKは、第2のUEが64QAM復調を使用して6ビットのデータのうちの最後の2ビットのデータを得、これが第2のUEがQPSK復調を使用することと同等であることを表している。
【０１２２】
その3：基地局が重畳符号化信号に256QAM変調を使用する場合
【０１２３】
1）基地局が、第1のUEに対してQPSK復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの両方のビットを受信データとして取得するように指示するために使用され、第2のUEによって受信されるデータ選択情報は、第2のUEに対して8ビットの復調後データのうちの最後の6ビットのデータを受信データとして取得するように指示するために使用される。変調／復調の結果は、256QAM==>QPSK+64QAMに相当し、ここで式の左辺は、基地局が256QAM変調によって8ビットのデータを得ることを表し、式の右辺のQPSKは、第1のUEがQPSK復調を使用してデータの両方のビットを得ることを表し、式の右辺の64QAMは、第2のUEが256QAM復調を使用して8ビットのデータのうちの最後の6ビットのデータを得、これが第2のUEが64QAM復調を使用することと同等であることを表している。
【０１２４】
2）基地局が、第1のUEに対して16QAM復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して8ビットの復調後データのうちの最後の4ビットのデータを受信データとして取得するように指示するために使用される。変調／復調の結果は、256QAM==>16QAM+16QAMに相当し、ここで式の左辺は、基地局が256QAM変調によって8ビットのデータを得ることを表し、式の右辺の最初の16QAMは、第1のUEが16QAM復調を使用してデータの4つのビットのすべてを得ることを表し、式の右辺の2番目の16QAMは、第2のUEが256QAM復調を使用して8ビットのデータのうちの最後の4ビットのデータを得、これが第2のUEが16QAM復調を使用することと同等であることを表している。
【０１２５】
3）基地局が、第1のUEに対して16QAM復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの4つのビットのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用される。変調／復調の結果は、256QAM==>QPSK+64QAMに相当し、ここで式の左辺は、基地局が256QAM変調によって8ビットのデータを得ることを表し、式の右辺のQPSKは、第1のUEが16QAM復調を使用して4ビットのデータのうちの最初の2ビットのデータを得、これが第1のUEがQPSK復調を使用することと同等であることを表し、式の右辺の64QAMは、第2のUEが256QAM復調を使用して8ビットのデータのうちの最後の6ビットのデータを得、これが第2のUEが64QAM復調を使用することと同等であることを表している。
【０１２６】
4）基地局が、第1のUEに対して64QAM復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの6つのビットのすべてを受信データとして取得するように指示するために使用され、第2のUEによって受信されるデータ選択情報は、第2のUEに対して8ビットの復調後データのうちの最後の2ビットのデータを受信データとして取得するように指示するために使用される。変調／復調の結果は、256QAM==>64QAM+QPSKに相当し、ここで式の左辺は、基地局が256QAM変調によって8ビットのデータを得ることを表し、式の右辺の64QAMは、第1のUEが64QAM復調を使用してデータの6つのビットのすべてを得ることを表し、式の右辺のQPSKは、第2のUEが256QAM復調を使用して8ビットのデータのうちの最後の2ビットのデータを得、これが第2のUEがQPSK復調を使用することと同等であることを表している。
【０１２７】
5）基地局が、第1のUEに対して64QAM復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの6つのビットのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用される。変調／復調の結果は、256QAM==>QPSK+64QAMに相当し、ここで式の左辺は、基地局が256QAM変調によって8ビットのデータを得ることを表し、式の右辺のQPSKは、第1のUEが64QAM復調を使用して6ビットのデータのうちの最初の2ビットのデータを得、これが第1のUEがQPSK復調を使用することと同等であることを表し、式の右辺の64QAMは、第2のUEが256QAM復調を使用して8ビットのデータのうちの最後の6ビットのデータを得、これが第2のUEが64QAM復調を使用することと同等であることを表している。
【０１２８】
6）基地局が、第1のUEに対して64QAM復調の選択を指示し、第2のUEに対して256QAM復調の選択を指示し、次いで第1のUEおよび第2のUEに通知信号を送信し、ここで第1のUEによって受信されるデータ選択情報は、第1のUEに対して復調後データの6つのビットのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用される。変調／復調の結果は、256QAM==>16QAM+16QAMに相当し、ここで式の左辺は、基地局が256QAM変調によって8ビットのデータを得ることを表し、式の右辺の最初の16QAMは、第1のUEが64QAM復調を使用して6ビットのデータのうちの最初の4ビットのデータを得、これが第1のUEが16QAM復調を使用することと同等であることを表し、式の右辺の2番目の16QAMは、第2のUEが256QAM復調を使用して8ビットのデータのうちの最後の4ビットのデータを得、これが第2のUEが16QAM復調を使用することと同等であることを表している。
【０１２９】
7）基地局が、第1のUEおよび第2のUEの両方に対して256QAM復調の選択を指示し、次いで第1のUEおよび第2のUEに通知信号を送信し、ここで第1のUEによって受信されるデータ選択情報は、第1のUEに対して8ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用される。変調／復調の結果は、256QAM==>QPSK+64QAMに相当し、ここで式の左辺は、基地局が256QAM変調によって8ビットのデータを得ることを表し、式の右辺のQPSKは、第1のUEが256QAM復調を使用して8ビットのデータのうちの最初の2ビットのデータを得、これが第1のUEがQPSK復調を使用することと同等であることを表し、式の右辺の64QAMは、第2のUEが256QAM復調を使用して8ビットのデータのうちの最後の6ビットのデータを得、これが第2のUEが64QAM復調を使用することと同等であることを表している。
【０１３０】
8）基地局が、第1のUEおよび第2のUEの両方に対して256QAM復調の選択を指示し、次いで第1のUEおよび第2のUEに通知信号を送信し、ここで第1のUEによって受信されるデータ選択情報は、第1のUEに対して8ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用される。変調／復調の結果は、256QAM==>16QAM+16QAMに相当し、ここで式の左辺は、基地局が256QAM変調によって8ビットのデータを得ることを表し、式の右辺の64QAMは、第1のUEが256QAM復調を使用して8ビットのデータのうちの最初の4ビットのデータを得、これが第1のUEが16QAM復調を使用することと同等であることを表し、式の右辺の16QAMは、第2のUEが256QAM復調を使用して8ビットのデータのうちの最後の4ビットのデータを得、これが第2のUEが16QAM復調を使用することと同等であることを表している。
【０１３１】
9）基地局が、第1のUEおよび第2のUEの両方に対して256QAM復調の選択を指示し、次いで第1のUEおよび第2のUEに通知信号を送信し、ここで第1のUEによって受信されるデータ選択情報は、第1のUEに対して8ビットの復調後データのうちの最初の6ビットのデータを受信データとして取得するように指示するために使用され、第2のUEによって受信されるデータ選択情報は、第2のUEに対して8ビットの復調後データのうちの最後の2ビットのデータを受信データとして取得するように指示するために使用される。変調／復調の結果は、256QAM==>64QAM+QPSKに相当し、ここで式の左辺は、基地局が256QAM変調によって8ビットのデータを得ることを表し、式の右辺の64QAMは、第1のUEが256QAM復調を使用して8ビットのデータのうちの最初の6ビットのデータを得、これが第1のUEが64QAM復調を使用することと同等であることを表し、式の右辺のQPSKは、第2のUEが256QAM復調を使用して8ビットのデータのうちの最後の2ビットのデータを得、これが第2のUEがQPSK復調を使用することと同等であることを表している。
【０１３２】
随意により、基地局は、UEのチャネル品質情報を取得し、チャネル品質の目安に応じて、UEに対して特定の復調方式を選択するように指示することもできる。具体的には、基地局が、最初に2つのUEのチャネル品質情報を取得し、次いで取得した2つのチャネル品質情報を比較して、チャネル品質がより低いUEおよびチャネル品質がより良好なUEを判断することができる。好ましくは、チャネル品質がより低いUEについて、基地局は、UEにとって取得が必要なビットの量を満たすことができる最低の復調方式を選択するようにUEに対して指示し、この実施形態において、変調方式のレベルを昇順で並べると、QPSK、16QAM、64QAM、および256QAMである。例えば、基地局がチャネル品質がより低いUEに4ビットのデータを割り当てる場合、基地局は、UEに対して64QAM復調または256QAM復調を選択するように指示するよりもむしろ、16QAM復調を選択するように指示し、すなわちチャネル品質がより低いUEについて、基地局は、上述の第1のUEについての処理のやり方に従って処理を実行する。
【０１３３】
以上の説明は、2つのUEがLTEシステムにおいて重畳符号化技術に参加する例を使用して行われている。3つのUEが重畳符号化技術に参加する場合について、この実施形態は、2つの実施のやり方をさらに提供する。2つの実施のやり方が、あくまでも典型の説明にすぎず、3つのUEが関与する状況におけるすべての実施のやり方への限定として用いられているわけではないことに、注意すべきである。
【０１３４】
やり方1
基地局が重畳符号化信号に256QAM変調を使用する場合、基地局は、チャネル品質が最も低い第1のUEに対してQPSK復調を選択するように指示し、第1のUEに通知信号を送信し、ここで第1のUEによって受信されるデータ選択情報は、第1のUEに対して復調後データの両方のビットを受信データとして取得するように指示するために使用され、基地局は、チャネル品質が2番目に低い第2のUEに対して16QAM復調を選択するように指示し、第2のUEに通知信号を送信し、ここで第2のUEによって受信されるデータ選択情報は、第2のUEに対して4ビットの復調後データのうちの最後の2ビットを受信データとして取得するように指示するために使用され、基地局は、チャネル品質が最も良好な第3のUEに対して256QAM復調を選択するように指示し、第3のUEに通知信号を送信し、ここで第3のUEによって受信されるデータ選択情報は、第3のUEに対して8ビットの復調後データのうちの最後の4ビットを受信データとして取得するように指示するために使用される。
【０１３５】
やり方2
基地局が重畳符号化信号に256QAM変調を使用する場合、基地局は、チャネル品質が最も低い第1のUEに対して256QAM復調を選択するように指示し、第1のUEに通知信号を送信し、ここで第1のUEによって受信されるデータ選択情報は、第1のUEに対して8ビットの復調後データのうちの最初の2ビットのデータを受信データとして取得するように指示するために使用され、基地局は、チャネル品質が2番目に低い第2のUEに対して256QAM復調を選択するように指示し、第2のUEに通知信号を送信し、ここで第2のUEによって受信されるデータ選択情報は、第2のUEに対して8ビットの復調後データのうちの3番目および4番目のビットのデータを受信データとして取得するように指示するために使用され、基地局は、チャネル品質が最も良好な第3のUEに対して256QAM復調を選択するように指示し、第3のUEに通知信号を送信し、ここで第3のUEによって受信されるデータ選択情報は、第3のUEに対して8ビットの復調後データのうちの最後の4ビットを受信データとして取得するように指示するために使用される。
【０１３６】
さらに、通知信号をUEに送信する前に、基地局は、少なくとも2つのUEによって送信される復調能力情報をさらに個々に取得することができ、少なくとも2つのUEのうちの第1のUEの復調能力情報が、QPSK復調だけをサポートするというものである場合に、基地局は第1のUEに通知信号を送信せず、第1のUEはデフォルトとしてQPSK復調を実行する。
【０１３７】
さらに、図2のステップ202の精緻化として、基地局によって通知信号に加えられるデータ選択情報は、とりわけ1つ以上のビットまたはスクランブル符号であってよい。データ選択情報がフラグビットである場合に、ビットと選択のやり方との間の対応関係は、表1に典型的に示される。
【０１３８】
【表１】
2016521509.tif 000003
【０１３９】
あるいは、対応関係は、表2に示されるとおりである。
【０１４０】
【表２】
2016521509.tif 000004
【０１４１】
さらなる代案として、対応関係は、表3に示されるとおりである。
【０１４２】
【表３】
2016521509.tif 000005
【０１４３】
データ選択情報がスクランブル符号である場合に、スクランブル符号と選択のやり方との間の対応関係は、表4に典型的に示される。
【０１４４】
【表４】
2016521509.tif 000006
【０１４５】
あるいは、対応関係は、表5に示されるとおりである。
【０１４６】
【表５】
2016521509.tif 000007
【０１４７】
さらなる代案として、対応関係は、表6に示されるとおりである。
【０１４８】
【表６】
2016521509.tif 000008
【０１４９】
この実施形態において、データのすべてのビットが選択される場合、基地局は、「すべてを選択」のデータ選択情報をUEに送信でき、あるいは「すべてを選択」のデータ選択情報と同じ結果を達成する「すべてを選択」以外のデータ選択情報をUEに送信することができる。ビットを例として用いると、表1を参照し、基地局がUEに対してQPSK復調によって得られたデータの両方のビットを受信データとして取得するように指示する場合、基地局は、ビット「0」をデータ選択情報としてUEに送信することができ、あるいはビット「1」をデータ選択情報としてUEに送信することができる（QPSK復調については、ビット「1」を指示したときの結果がビット「0」を指示したときの結果と同じである）。
【０１５０】
本発明のこの実施形態によってもたらされる重畳符号化方法において、基地局は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０１５１】
さらに、先行技術においては、第1のUEと第2のUEとの間の復調の干渉を避けるために、チャネル品質がより良好な第2のUEが、SIC機能を有する必要がある。この実施形態によってもたらされる重畳符号化方法においては、基地局が通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件が軽減され得る。
【０１５２】
図2に示した方法に関して、この実施形態は、図2に示した方法を実行するために使用される重畳符号化装置をさらに提供する。装置は、第1の装置であり、基地局側に位置することができる。図4に示されるとおり、第1の装置41は、生成ユニット411および送信ユニット412を備える。
【０１５３】
生成ユニット411は、少なくとも2つのユーザ機器UEに個々に送信されるべきビットデータに従って重畳符号化Superposition Coding信号を生成するように構成される。
【０１５４】
送信ユニット412は、少なくとも2つのUEのうちの少なくとも1つのUEに通知信号を送信するように構成され、ここで通知信号は、データ選択情報を運び、データ選択情報は、UEに対して、重畳符号化信号から復調されたビットデータから、特定の量でありかつ特定の位置にある少なくとも1ビットのデータを受信データとして取得するように指示するために使用される。
【０１５５】
送信ユニット412は、重畳符号化信号を少なくとも2つのUEに送信するようにさらに構成される。
【０１５６】
さらに、図5に示されるとおり、送信ユニット412は、
データ選択情報を運ぶ無線リソース制御RRC信号を少なくとも2つのUEに送信する第1の送信サブユニット511、
データ選択情報を運ぶダウンリンク制御情報DCIを少なくとも2つのUEに送信する第2の送信サブユニット512、または
データ選択情報を示すために用いられるスクランブル符号を使用することによってスクランブルされた周期的冗長検査情報CRCを含むDCIを少なくとも2つのUEに送信する第3の送信サブユニット513
を備える。
【０１５７】
さらに、装置は、少なくとも2つのUEに対してそれぞれの復調方式を選択するように個々に指示する指示ユニットをさらに備えることができる。
【０１５８】
さらに、重畳符号化信号の変調方式が16値直交振幅変調QAM変調である場合、
指示ユニットは、第1のUEに対して四位相偏移変調QPSK復調の選択を指示し、第2のUEに対して16QAM復調の選択を指示するように構成され、あるいは
指示ユニット413は、第1のUEおよび第2のUEの両方に16QAM復調の選択を指示するように構成される。
【０１５９】
送信ユニット412は、指示ユニットが第1のUEに対してQPSK復調の選択を指示し、第2のUEに対して16QAM復調の選択を指示する場合に、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して4ビットの復調後データのうちの最後の2ビットのデータを受信データとして取得するように指示するために使用され、あるいは
送信ユニット412は、指示ユニットが第1のUEおよび第2のUEの両方に対して16QAM復調の選択を指示する場合に、第1のUEおよび第2のUEに通知信号を送信するようにさらに構成され、ここで第1のUEによって受信されるデータ選択情報は、第1のUEに対して4ビットの復調後データのうちの最初の2ビットのデータを受信データとして使用するように指示するために使用され、第2のUEによって受信されるデータ選択情報は、第2のUEに対して4ビットの復調後データのうちの最後の2ビットのデータを受信データとして使用するように指示するために使用される。
【０１６０】
さらに、重畳符号化信号の変調方式が64QAM変調である場合、
指示ユニットは、第1のUEに対してQPSK復調の選択を指示し、第2のUEに対して64QAM復調の選択を指示するように構成され、あるいは
指示ユニットは、第1のUEに対して16QAM復調の選択を指示し、第2のUEに対して64QAM復調の選択を指示するように構成され、あるいは
指示ユニットは、第1のUEおよび第2のUEの両方に64QAM復調の選択を指示するように構成される。
【０１６１】
送信ユニット412は、指示ユニットが第1のUEに対してQPSK復調の選択を指示し、第2のUEに対して64QAM復調の選択を指示する場合に、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信ユニット412は、指示ユニットが第1のUEに対して16QAM復調の選択を指示し、第2のUEに対して64QAM復調の選択を指示する場合に、第1のUEおよび第2のUEに通知信号を送信するように構成され、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは
送信ユニット412は、指示ユニットが第1のUEに対して16QAM復調の選択を指示し、第2のUEに対して64QAM復調の選択を指示する場合に、第1のUEおよび第2のUEに通知信号を送信するように構成され、ここで第1のUEによって受信されるデータ選択情報は、第1のUEに対して4ビットの復調後データのうちの最初の2ビットのデータを受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信ユニット412は、指示ユニットが第1のUEおよび第2のUEの両方に対して64QAM復調の選択を指示する場合に、第1のUEおよび第2のUEに通知信号を送信するように構成され、ここで第1のUEによって受信されるデータ選択情報は、第1のUEに対して6ビットの復調後データのうちの最初の2ビットのデータを受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信ユニット412は、指示ユニットが第1のUEおよび第2のUEの両方に対して64QAM復調の選択を指示する場合に、第1のUEおよび第2のUEに通知信号を送信するように構成され、ここで第1のUEによって受信されるデータ選択情報は、第1のUEに対して6ビットの復調後データのうちの最初の4ビットのデータを受信データとして取得するように指示するために使用され、第2のUEによって受信されるデータ選択情報は、第2のUEに対して6ビットの復調後データのうちの最後の2ビットのデータを受信データとして取得するように指示するために使用される。
【０１６２】
さらに、重畳符号化信号の変調方式が256QAM変調である場合、
指示ユニットは、第1のUEに対してQPSK復調の選択を指示し、第2のUEに対して256QAM復調の選択を指示するように構成され、あるいは
指示ユニットは、第1のUEに対して16QAM復調の選択を指示し、第2のUEに対して256QAM復調の選択を指示するように構成され、あるいは
指示ユニットは、第1のUEに対して64QAM復調の選択を指示し、第2のUEに対して256QAM復調の選択を指示するように構成され、あるいは
指示ユニットは、第1のUEおよび第2のUEの両方に256QAM復調の選択を指示するように構成される。
【０１６３】
送信ユニット412は、指示ユニットが第1のUEに対してQPSK復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信ユニット412は、指示ユニットが第1のUEに対して16QAM復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信ユニット412は、指示ユニットが第1のUEに対して16QAM復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して4ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信ユニット412は、指示ユニットが第1のUEに対して64QAM復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して復調後データの6つのビットのすべてを受信データとして取得するように指示するために使用され、第2のUEによって受信されるデータ選択情報は、第2のUEに対して8ビットの復調後データのうちの最後の2ビットのデータを受信データとして取得するように指示するために使用され、あるいは
送信ユニット412は、指示ユニットが第1のUEに対して64QAM復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して6ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信ユニット412は、指示ユニットが第1のUEに対して64QAM復調の選択を指示し、第2のUEに対して256QAM復調の選択を指示する場合に、第1のUEおよび第2のUEに通知信号を送信するように構成され、ここで第1のUEによって受信されるデータ選択情報は、第1のUEに対して6ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信ユニット412は、指示ユニットが第1のUEおよび第2のUEの両方に対して256QAM復調の選択を指示する場合に、第1のUEおよび第2のUEに通知信号を送信するように構成され、ここで第1のUEによって受信されるデータ選択情報は、第1のUEに対して8ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信ユニット412は、指示ユニットが第1のUEおよび第2のUEの両方に対して256QAM復調の選択を指示する場合に、第1のUEおよび第2のUEに通知信号を送信するように構成され、ここで第1のUEによって受信されるデータ選択情報は、第1のUEに対して8ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信ユニット412は、指示ユニットが第1のUEおよび第2のUEの両方に対して256QAM復調の選択を指示する場合に、第1のUEおよび第2のUEに通知信号を送信するように構成され、ここで第1のUEによって受信されるデータ選択情報は、第1のUEに対して8ビットの復調後データのうちの最初の6ビットのデータを受信データとして取得するように指示するために使用され、第2のUEによって受信されるデータ選択情報は、第2のUEに対して8ビットの復調後データのうちの最後の2ビットのデータを受信データとして取得するように指示するために使用される。
【０１６４】
さらに、重畳符号化信号の変調方式が256QAM変調である場合、
指示ユニットは、第1のUEに対してQPSK復調の選択を指示し、第2のUEに対して16QAM復調の選択を指示し、第3のUEに対して256QAM復調の選択を指示するように構成され、あるいは
指示ユニットは、第1のUE、第2のUE、および第3のUEのすべてに256QAM復調の選択を指示するように構成される。
【０１６５】
送信ユニット412は、指示ユニットが第1のUEに対してQPSK復調の選択を指示し、第2のUEに対して16QAM復調の選択を指示し、第3のUEに対して256QAM復調の選択を指示する場合に、第1のUE、第2のUE、および第3のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して4ビットの復調後データのうちの最後の2ビットのデータを受信データとして取得するように指示するために使用され、第3のUEによって受信されるデータ選択情報は、第3のUEに対して8ビットの復調後データのうちの最後の4ビットのデータを受信データとして取得するように指示するために使用され、あるいは
送信ユニット412は、指示ユニットが第1のUE、第2のUE、および第3のUEのすべてに対して256QAM復調の選択を指示する場合に、第1のUE、第2のUE、および第3のUEに通知信号を送信するように構成され、ここで第1のUEによって受信されるデータ選択情報は、第1のUEに対して8ビットの復調後データのうちの最初の2ビットのデータを受信データとして取得するように指示するために使用され、第2のUEによって受信されるデータ選択情報は、第2のUEに対して8ビットの復調後データのうちの3番目および4番目のビットのデータを受信データとして取得するように指示するために使用され、第3のUEによって受信されるデータ選択情報は、第3のUEに対して8ビットの復調後データのうちの最後の4ビットのデータを受信データとして取得するように指示するために使用される。
【０１６６】
さらに、取得ユニットが、少なくとも2つのUEによって送信される復調能力情報を個々に取得するように構成され、
送信ユニット412は、取得ユニットによって取得された少なくとも2つのUEのうちの第1のUEの復調能力情報が、QPSK復調だけがサポートされるというものである場合に、第1のUEへの通知信号の送信を省略するように構成される。
【０１６７】
本発明のこの実施形態によってもたらされる第1の装置は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０１６８】
さらに、この実施形態によってもたらされる第1の装置は、通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件を軽減することができる。
【０１６９】
図3に示した方法に関して、この実施形態は、図3に示した方法を実行するために使用される重畳符号化装置をさらに提供する。装置は、第2の装置であり、UE側に位置することができる。図6に示されるとおり、第2の装置61は、受信ユニット611および復調ユニット612を備える。
【０１７０】
受信ユニット611は、基地局によって送信される通知信号を受信するように構成され、ここで通知信号は、データ選択情報を運び、データ選択情報は、UEに対して、受信した重畳符号化信号から復調されたビットデータから、特定の量でありかつ特定の位置にある少なくとも1ビットのデータを受信データとして取得するように指示するために使用される。
【０１７１】
受信ユニット611は、基地局によって送信される重畳符号化信号を受信するようにさらに構成される。
【０１７２】
復調ユニット612は、受信ユニット611によって受信された重畳符号化信号を復調し、受信ユニット611によって受信されたデータ選択情報に従って、重畳符号化信号から復調されたビットデータから受信データを取得するように構成される。
【０１７３】
さらに、図7に示されるとおり、受信ユニット611は、
データ選択情報を運ぶ基地局によって送信された無線リソース制御RRC信号を受信する第1の受信サブユニット711、
データ選択情報を運ぶ基地局によって送信されたダウンリンク制御情報DCIを受信する第2の受信サブユニット712、または
データ選択情報を示すために用いられるスクランブル符号を使用することによってスクランブルされた周期的冗長検査情報CRCを含む基地局によって送信されたDCIを受信する第3の受信サブユニット713
を備える。
【０１７４】
さらに、受信ユニット611は、基地局によって送信され、復調方式の選択に使用される指示を受信するように構成され、
選択ユニットが、受信ユニット611によって受信された指示に従って特定の変調方式を選択するように構成され、
復調ユニット612が、選択ユニットによって選択された特定の変調方式に従って重畳符号化信号を復調するように構成される。
【０１７５】
さらに、受信ユニット611は、
選択ユニットが受信ユニット611によって受信された指示に従って四位相偏移変調QPSK復調を選択するときに、復調後データの両方のビットを受信データとして取得する旨のデータ選択情報を運ぶ通知信号を受信し、あるいは
選択ユニットが受信ユニット611によって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
選択ユニットが受信ユニット611によって受信された指示に従って16値直交振幅変調QAM復調を選択するときに、復調後データの4つのビットのすべてを受信データとして取得する旨のデータ選択情報を運ぶ通知信号を受信し、あるいは
選択ユニットが受信ユニット611によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
選択ユニットが受信ユニット611によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
選択ユニットが受信ユニット611によって受信された指示に従って64QAM復調を選択するときに、復調後データの6つのビットのすべてを受信データとして取得する旨のデータ選択情報を運ぶ通知信号を受信し、あるいは
選択ユニットが受信ユニット611によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
選択ユニットが受信ユニット611によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
選択ユニットが受信ユニット611によって受信された指示に従って256QAM復調を選択するときに、8ビットの復調後データの最初の6ビットのデータまたは最後の6ビットのデータを受信データとして取得する旨のデータ選択情報を運ぶ通知信号を受信するように構成される。
【０１７６】
さらに、復調ユニット612は、受信ユニット611が基地局によって送信される復調方式の選択の指示を受信しない場合に、重畳符号化信号についてQPSK復調を実行するように構成される。
【０１７７】
本発明のこの実施形態によってもたらされる第2の装置は、基地局によって送信される重畳符号化信号を受信し、次いで基地局によって送信されるデータ選択情報を運ぶ通知信号を受信でき、ここでデータ選択情報は、UEに対して、復調後のビットデータから特定の量でありかつ特定の位置にある少なくとも1ビットのデータを受信データとして取得するように指示するために使用される。通知信号の受信後に、UEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０１７８】
さらに、この実施形態によってもたらされる第2の装置においては、UEが、通知信号を受信することによって特定のビットの受信を指示するデータ選択情報を取得するため、UE間の復調の干渉を回避することができ、したがってUEがSIC機能を有する必要がなく、UEの機能に対する重畳符号化技術の制限的要件を軽減することができる。
【０１７９】
図4または図5に示した第1の装置ならびに図6または図7に示した第2の装置に関して、この実施形態は、重畳符号化システムをさらに提供する。図8に示されるとおり、システム81は、基地局811および少なくとも2つのUE812を含み、基地局811は、図4または図5に示した第1の装置を含み、UE812は、図6または図7に示した第2の装置を含む。
【０１８０】
基地局811は、少なくとも2つのUE812に個々に送信されるべきビットデータに従って重畳符号化Superposition Coding信号を生成し、少なくとも2つのUE812のうちの少なくとも1つのUE812に通知信号を送信するように構成され、ここで通知信号は、データ選択情報を運び、データ選択情報は、UE812に対して、重畳符号化信号から復調されたビットデータから、特定の量でありかつ特定の位置にある少なくとも1ビットのデータを受信データとして取得するように指示するために使用される。
【０１８１】
UE812は、基地局811によって送信された通知信号を受信するように構成される。
【０１８２】
基地局811は、重畳符号化信号を少なくとも2つのUE812に送信するようにさらに構成される。
【０１８３】
UE812は、基地局811によって送信された重畳符号化信号を受信し、重畳符号化信号を復調し、データ選択情報に従って、重畳符号化信号から復調されたビットデータから受信データを取得するようにさらに構成される。
【０１８４】
本発明のこの実施形態によってもたらされる重畳符号化システムにおいて、基地局は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０１８５】
さらに、この実施形態によってもたらされる重畳符号化システムにおいては、基地局が通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件を軽減することができる。
【０１８６】
図2に示した方法に関して、この実施形態は、図2に示した方法を実行するために使用される重畳符号化装置をさらに提供する。装置は、第1の装置であり、基地局側に位置することができる。図9に示されるとおり、第1の装置91は、プロセッサ911および送信機912を備える。
【０１８７】
プロセッサ911は、少なくとも2つのユーザ機器UEに個々に送信されるべきビットデータに従って重畳符号化Superposition Coding信号を生成するように構成される。
【０１８８】
送信機912は、少なくとも2つのUEのうちの少なくとも1つのUEに通知信号を送信するように構成され、ここで通知信号は、データ選択情報を運び、データ選択情報は、UEに対して、重畳符号化信号から復調されたビットデータから、特定の量でありかつ特定の位置にある少なくとも1ビットのデータを受信データとして取得するように指示するために使用される。
【０１８９】
送信機912は、重畳符号化信号を少なくとも2つのUEに送信するようにさらに構成される。
【０１９０】
さらに、送信機912は、データ選択情報を運ぶ無線リソース制御RRC信号を少なくとも2つのUEに送信するように構成され、あるいは
送信機912は、データ選択情報を運ぶダウンリンク制御情報DCIを少なくとも2つのUEに送信するように構成され、あるいは
送信機912は、データ選択情報を示すために用いられるスクランブル符号を使用することによってスクランブルされた周期的冗長検査情報CRCを含むDCIを少なくとも2つのUEに送信するように構成される。
【０１９１】
さらに、プロセッサ911は、少なくとも2つのUEに対してそれぞれの復調方式を選択するように個々に指示するように構成される。
【０１９２】
さらに、重畳符号化信号の変調方式が16値直交振幅変調QAM変調である場合、
プロセッサ911は、少なくとも2つのUEに対してそれぞれの復調方式の選択を指示するために個々に使用される情報を生成するように構成され、
送信機912は、プロセッサによって生成され、少なくとも2つのUEに対してそれぞれの復調方式の選択を指示するために個々に使用される情報を、少なくとも2つのUEに送信するように構成される。
【０１９３】
プロセッサ911は、第1のUEに対して四位相偏移変調QPSK復調の選択を指示するための情報および第2のUEに対して16QAM復調の選択を指示するための情報を生成するように構成され、
送信機912は、プロセッサによって生成され、第1のUEに対して四位相偏移変調QPSK復調の選択を指示するための情報を、第1のUEに送信し、プロセッサによって生成され、第2のUEに対して16QAM復調の選択を指示するための情報を、第2のUEに送信するように構成され、あるいは
プロセッサ911は、第1のUEに対して16QAM復調の選択を指示するための情報および第2のUEに対して16QAM復調の選択を指示するための情報を生成するように構成され、
送信機912は、第1のUEに対して16QAM復調の選択を指示するための情報を、第1のUEに送信し、第2のUEに対して16QAM復調の選択を指示するための情報を、第2のUEに送信するように構成される。
【０１９４】
さらに、送信機は、プロセッサによって生成された第1のUEに対してQPSK復調の選択を指示するための情報および第2のUEに対して16QAM復調の選択を指示するための情報に従い、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して4ビットの復調後データのうちの最後の2ビットのデータを受信データとして取得するように指示するために使用され、あるいは
送信機は、プロセッサによって生成された第1のUEに対して16QAM復調の選択を指示するための情報および第2のUEに対して16QAM復調の選択を指示するための情報に従い、第1のUEおよび第2のUEに通知信号を送信するように構成され、ここで第1のUEによって受信されるデータ選択情報は、第1のUEに対して4ビットの復調後データのうちの最初の2ビットのデータを受信データとして使用するように指示するために使用され、第2のUEによって受信されるデータ選択情報は、第2のUEに対して4ビットの復調後データのうちの最後の2ビットのデータを受信データとして使用するように指示するために使用される。
【０１９５】
さらに、重畳符号化信号の変調方式が64QAM変調である場合、
プロセッサは、第1のUEに対してQPSK復調の選択を指示するための情報を生成するとともに、第2のUEに対して64QAM復調の選択を指示するための情報を生成するようにさらに構成され、
送信機は、第1のUEに対してQPSK復調の選択を指示するための情報を、第1のUEに送信するとともに、第2のUEに対して64QAM復調の選択を指示するための情報を、第2のUEに送信するようにさらに構成され、あるいは
プロセッサは、第1のUEに対して16QAM復調の選択を指示するための情報を生成するとともに、第2のUEに対して64QAM復調の選択を指示するための情報を生成するようにさらに構成され、
送信機は、第1のUEに対して16QAM復調の選択を指示するための情報を、第1のUEに送信するとともに、第2のUEに対して64QAM復調の選択を指示するための情報を、第2のUEに送信するようにさらに構成され、あるいは
プロセッサは、第1のUEに対して64QAM復調の選択を指示するための情報を生成するとともに、第2のUEに対して64QAM復調の選択を指示するための情報を生成するようにさらに構成され、
送信機は、第1のUEに対して64QAM復調の選択を指示するための情報を、第1のUEに送信するとともに、第2のUEに対して64QAM復調の選択を指示するための情報を、第2のUEに送信するようにさらに構成される。
【０１９６】
送信機は、プロセッサによって生成された第1のUEに対してQPSK復調の選択を指示するための情報および第2のUEに対して64QAM復調の選択を指示するための情報に従い、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信機は、プロセッサによって生成された第1のUEに対して16QAM復調の選択を指示するための情報および第2のUEに対して64QAM復調の選択を指示するための情報に従い、第1のUEおよび第2のUEに通知信号を送信するように構成され、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して6ビットの復調後データのうちの最後の2ビットのデータを受信データとして取得するように指示するために使用され、あるいは
送信機は、プロセッサによって生成された第1のUEに対して16QAM復調の選択を指示するための情報および第2のUEに対して64QAM復調の選択を指示するための情報に従い、第1のUEおよび第2のUEに通知信号を送信するように構成され、ここで第1のUEによって受信されるデータ選択情報は、第1のUEに対して4ビットの復調後データのうちの最初の2ビットのデータ受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信機は、プロセッサによって生成された第1のUEに対して64QAM復調の選択を指示するための情報および第2のUEに対して64QAM復調の選択を指示するための情報に従い、第1のUEおよび第2のUEに通知信号を送信するように構成され、ここで第1のUEによって受信されるデータ選択情報は、第1のUEに対して6ビットの復調後データのうちの最初の2ビットのデータ受信データとして取得するように指示するために使用され、第2のUEによって受信されるデータ選択情報は、第2のUEに対して6ビットの復調後データのうちの最後の4ビットのデータを受信データとして取得するように指示するために使用され、あるいは
送信機は、プロセッサによって生成された第1のUEに対して64QAM復調の選択を指示するための情報および第2のUEに対して64QAM復調の選択を指示するための情報に従い、第1のUEおよび第2のUEに通知信号を送信するように構成され、ここで第1のUEによって受信されるデータ選択情報は、第1のUEに対して6ビットの復調後データのうちの最初の4ビットのデータ受信データとして取得するように指示するために使用され、第2のUEによって受信されるデータ選択情報は、第2のUEに対して6ビットの復調後データのうちの最後の2ビットのデータを受信データとして取得するように指示するために使用される。
【０１９７】
さらに、重畳符号化信号の変調方式が256QAM変調である場合、
プロセッサは、第1のUEに対してQPSK復調の選択を指示するための情報を生成するとともに、第2のUEに対して256QAM復調の選択を指示するための情報を生成するようにさらに構成され、
送信機は、第1のUEに対してQPSK復調の選択を指示するための情報を、第1のUEに送信するとともに、第2のUEに対して256QAM復調の選択を指示するための情報を、第2のUEに送信するようにさらに構成され、あるいは
プロセッサは、第1のUEに対して16QAM復調の選択を指示するための情報を生成するとともに、第2のUEに対して256QAM復調の選択を指示するための情報を生成するようにさらに構成され、
送信機は、第1のUEに対して16QAM復調の選択を指示するための情報を、第1のUEに送信するとともに、第2のUEに対して256QAM復調の選択を指示するための情報を、第2のUEに送信するようにさらに構成され、あるいは
プロセッサは、第1のUEに対して64QAM復調の選択を指示するための情報を生成するとともに、第2のUEに対して256QAM復調の選択を指示するための情報を生成するようにさらに構成され、
送信機は、第1のUEに対して64QAM復調の選択を指示するための情報を、第1のUEに送信するとともに、第2のUEに対して256QAM復調の選択を指示するための情報を、第2のUEに送信するようにさらに構成され、あるいは
プロセッサは、第1のUEに対して256QAM復調の選択を指示するための情報を生成するとともに、第2のUEに対して256QAM復調の選択を指示するための情報を生成するようにさらに構成され、
送信機は、第1のUEに対して256QAM復調の選択を指示するための情報を、第1のUEに送信するとともに、第2のUEに対して256QAM復調の選択を指示するための情報を、第2のUEに送信するようにさらに構成される。
【０１９８】
送信機は、プロセッサによって生成された第1のUEに対してQPSK復調の選択を指示するための情報および第2のUEに対して256QAM復調の選択を指示するための情報に従い、第1のUEおよび第2のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信機は、プロセッサによって生成された第1のUEに対して16QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して復調後データの4つのビットのすべてを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信機は、プロセッサによって生成された第1のUEに対して16QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して4ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信機は、プロセッサによって生成された第1のUEに対して64QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して復調後データの6つのビットのすべてを受信データとして取得するように指示するために使用され、第2のUEによって受信されるデータ選択情報は、第2のUEに対して8ビットの復調後データのうちの最後の2ビットのデータを受信データとして取得するように指示するために使用され、あるいは
送信機は、プロセッサによって生成された第1のUEに対して64QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して6ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信機は、プロセッサによって生成された第1のUEに対して64QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して6ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信機は、プロセッサによって生成された第1のUEに対して256QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して8ビットの復調後データのうちの最初の2ビットのデータを受信データとして取得するように指示するために使用され、第2のUEによって受信されるデータ選択情報は、第2のUEに対して8ビットの復調後データのうちの最後の6ビットのデータを受信データとして取得するように指示するために使用され、あるいは
送信機は、プロセッサによって生成された第1のUEに対して256QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して8ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用され、あるいは
送信機は、プロセッサによって生成された第1のUEに対して256QAM復調の選択を指示するための情報および第2のUEに対して256QAM復調の選択を指示するための情報に従い、第1のUEおよび第2のUEに通知信号を送信するようにさらに構成され、ここで第1のUEによって受信されるデータ選択情報は、第1のUEに対して8ビットの復調後データのうちの最初の6ビットのデータを受信データとして取得するように指示するために使用され、第2のUEによって受信されるデータ選択情報は、第2のUEに対して8ビットの復調後データのうちの最後の2ビットのデータを受信データとして取得するように指示するために使用される。
【０１９９】
さらに、重畳符号化信号の変調方式が256QAM変調である場合、
プロセッサは、第1のUEに対してQPSK復調の選択を指示するための情報、第2のUEに対して16QAM復調の選択を指示するための情報、および第3のUEに対して256QAM復調の選択を指示するための情報を生成するように構成され、
送信機は、第1のUEに対してQPSK復調の選択を指示するための情報を第1のUEに送信し、第2のUEに対して16QAM復調の選択を指示するための情報を第2のUEに送信し、第3のUEに対して256QAM復調の選択を指示するための情報を第3のUEに送信するように構成され、あるいは
プロセッサは、第1のUE、第2のUE、および第3のUEのすべてに対して256QAM復調の選択を指示するようにさらに構成され、
送信機は、第1のUEに対して256QAM復調の選択を指示するための情報を第1のUEに送信し、第2のUEに対して256QAM復調の選択を指示するための情報を第2のUEに送信し、第3のUEに対して256QAM復調の選択を指示するための情報を第3のUEに送信するように構成される。
【０２００】
送信機は、第1のUEに対してQPSK復調の選択を指示するための情報、第2のUEに対して16QAM復調の選択を指示するための情報、および第3のUEに対して256QAM復調の選択を指示するための情報に従って、第1のUE、第2のUE、および第3のUEに通知信号を送信するように構成され、ここで第1のUEによって受信されるデータ選択情報は、第1のUEに対して復調後データの両方のビットを受信データとして取得するように指示するために使用され、第2のUEによって受信されるデータ選択情報は、第2のUEに対して4ビットの復調後データのうちの最後の2ビットのデータを受信データとして取得するように指示するために使用され、第3のUEによって受信されるデータ選択情報は、第3のUEに対して8ビットの復調後データのうちの最後の4ビットのデータを受信データとして取得するように指示するために使用され、あるいは
送信機は、プロセッサによって生成される第1のUEに対して256QAM復調の選択を指示するための情報、第2のUEに対して256QAM復調の選択を指示するための情報、および第3のUEに対して256QAM復調の選択を指示するための情報に従って、第1のUE、第2のUE、および第3のUEに通知信号を送信するようにさらに構成され、ここで第1のUEによって受信されるデータ選択情報は、第1のUEに対して8ビットの復調後データのうちの最初の2ビットのデータを受信データとして取得するように指示するために使用され、第2のUEによって受信されるデータ選択情報は、第2のUEに対して8ビットの復調後データのうちの3番目および4番目のビットのデータを受信データとして取得するように指示するために使用され、第3のUEによって受信されるデータ選択情報は、第3のUEに対して8ビットの復調後データのうちの最後の4ビットのデータを受信データとして取得するように指示するために使用される。
【０２０１】
さらに、装置は、少なくとも2つのUEによって送信される復調能力情報を個々に取得する受信機をさらに備え、
送信機912は、受信機によって取得された少なくとも2つのUEのうちの第1のUEの復調能力情報が、QPSK復調だけがサポートされるというものである場合に、第1のUEへの通知信号の送信を省略するように構成される。
【０２０２】
本発明のこの実施形態によってもたらされる第1の装置は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０２０３】
さらに、この実施形態によってもたらされる第1の装置は、通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件を軽減することができる。
【０２０４】
図3に示した方法に関して、この実施形態は、図3に示した方法を実行するために使用される重畳符号化装置をさらに提供する。装置は、第2の装置であり、UE側に位置することができる。図10に示されるとおり、第2の装置101は、受信機1001および復調器1002を備える。
【０２０５】
受信機1001は、基地局によって送信される通知信号を受信するように構成され、ここで通知信号は、データ選択情報を運び、データ選択情報は、UEに対して、受信した重畳符号化信号から復調されたビットデータから、特定の量でありかつ特定の位置にある少なくとも1ビットのデータを受信データとして取得するように指示するために使用される。
【０２０６】
受信機1001は、基地局によって送信される重畳符号化信号を受信するようにさらに構成される。
【０２０７】
復調器1002は、受信機1001によって受信された重畳符号化信号を復調し、受信機1001によって受信されたデータ選択情報に従って、重畳符号化信号から復調されたビットデータから受信データを取得するように構成される。
【０２０８】
さらに、受信機1001は、データ選択情報を運ぶ基地局によって送信された無線リソース制御RRC信号を受信するように構成され、あるいは
受信機1001は、データ選択情報を運ぶ基地局によって送信されたダウンリンク制御情報DCIを受信するように構成され、あるいは
受信機1001は、データ選択情報を示すために用いられるスクランブル符号を使用することによってスクランブルされた周期的冗長検査情報CRCを含む基地局によって送信されたDCIを受信するように構成される。
【０２０９】
装置は、プロセッサをさらに備え、
さらに受信機1001は、基地局によって送信され、復調方式の選択に使用される指示を受信するように構成され、
プロセッサは、受信機1001によって受信された指示に従って特定の変調方式を選択するように構成され、
復調器1002が、プロセッサによって選択された特定の変調方式に従って重畳符号化信号を復調するように構成される。
【０２１０】
さらに、受信機1001は、
プロセッサが受信機1001によって受信された指示に従って四位相偏移変調QPSK復調を選択するときに、復調後データの両方のビットを受信データとして取得する旨のデータ選択情報を運ぶ通知信号を受信し、あるいは
プロセッサが受信機1001によって受信された指示に従って16値直交振幅変調QAM復調を選択するときに、4ビットの復調後データの最初の2ビットのデータまたは最後の2ビットのデータを受信データとして取得する旨のデータ選択情報を運ぶ通知信号を受信し、あるいは
プロセッサが受信機1001によって受信された指示に従って16値直交振幅変調QAM復調を選択するときに、復調後データの4つのビットのすべてを受信データとして取得する旨のデータ選択情報を運ぶ通知信号を受信し、あるいは
プロセッサが受信機1001によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
プロセッサが受信機1001によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
プロセッサが受信機1001によって受信された指示に従って64QAM復調を選択するときに、復調後データの6つのビットのすべてを受信データとして取得する旨のデータ選択情報を運ぶ通知信号を受信し、あるいは
プロセッサが受信機1001によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
プロセッサが受信機1001によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
プロセッサが受信機1001によって受信された指示に従って256QAM復調を選択するときに、8ビットの復調後データの最初の6ビットのデータまたは最後の6ビットのデータを受信データとして取得する旨のデータ選択情報を運ぶ通知信号を受信するように構成される。
【０２１１】
さらに、復調器1002は、受信機1001が基地局によって送信される復調方式の選択の指示を受信しない場合に、重畳符号化信号についてQPSK復調を実行するように構成される。
【０２１２】
本発明のこの実施形態によってもたらされる第2の装置は、基地局によって送信される重畳符号化信号を受信し、次いで基地局によって送信されるデータ選択情報を運ぶ通知信号を受信でき、ここでデータ選択情報は、UEに対して、復調後のビットデータから特定の量でありかつ特定の位置にある少なくとも1ビットのデータを受信データとして取得するように指示するために使用される。通知信号の受信後に、UEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０２１３】
さらに、この実施形態によってもたらされる第2の装置においては、UEが、通知信号を受信することによって特定のビットの受信を指示するデータ選択情報を取得するため、UE間の復調の干渉を回避することができ、したがってUEがSIC機能を有する必要がなく、UEの機能に対する重畳符号化技術の制限的要件を軽減することができる。
【０２１４】
図9に示した第1の装置および図10に示した第2の装置に関して、この実施形態は、重畳符号化システムをさらに提供する。図11に示されるとおり、システム111は、基地局1111および少なくとも2つのUE1112を含み、基地局1111は、図9に示した第1の装置を含み、UEは、図10に示した第2の装置を含む。
【０２１５】
基地局1111は、少なくとも2つのUE1112に個々に送信されるべきビットデータに従って重畳符号化Superposition Coding信号を生成し、少なくとも2つのUE1112のうちの少なくとも1つのUE1112に通知信号を送信するように構成され、ここで通知信号は、データ選択情報を運び、データ選択情報は、UE1112に対して、重畳符号化信号から復調されたビットデータから、特定の量でありかつ特定の位置にある少なくとも1ビットのデータを受信データとして取得するように指示するために使用される。
【０２１６】
UE1112は、基地局1111によって送信された通知信号を受信するように構成される。
【０２１７】
基地局1111は、重畳符号化信号を少なくとも2つのUE1112に送信するようにさらに構成される。
【０２１８】
UE1112は、基地局1111によって送信された重畳符号化信号を受信し、重畳符号化信号を復調し、データ選択情報に従って、重畳符号化信号から復調されたビットデータから受信データを取得するようにさらに構成される。
【０２１９】
本発明のこの実施形態によってもたらされる重畳符号化システムにおいて、基地局は、少なくとも2つのUEに重畳符号化信号を送信でき、次いで少なくとも2つのUEにデータ選択情報を運ぶ通知信号を送信でき、ここでデータ選択情報は、UEに対して、復調後のビットデータから特定の量でありかつ特定の位置にある少なくとも1ビットのデータを受信データとして取得するように指示するために使用される。通知信号の受信後に、各々のUEは、データ選択情報に従って、復調後のビットデータから少なくとも1ビットのデータを受信データとして取得する。このやり方で、基地局がUEに対して特定のビットデータを受信するように指示するやり方を使用することによって、LTEシステム、UMTSシステム、およびCDMAシステムなどのシステムにおける重畳符号化技術の応用が実行される。
【０２２０】
さらに、この実施形態によってもたらされる重畳符号化システムにおいては、基地局が通知信号を送信することによって各々のUEに受信データとして取得する必要があるビットを通知するため、UE間の復調の干渉を回避することができ、したがってUEがSIC機能を有する必要がなく、UEの機能に対する重畳符号化技術の制限的要件を軽減することができる。
【０２２１】
実施のやり方についての以上の説明にもとづき、当業者であれば、本発明をソフトウェアに必要な普遍的ハードウェアを加えて実行することができ、あるいはハードウェアのみによって実行できることを、明確に理解できるであろう。多くの状況において、前者が典型的な実施のやり方である。そのような理解にもとづき、本発明の技術的解決策の本質または先行技術に対する貢献部分を、ソフトウェア製品の形態で実現することができる。コンピュータソフトウェア製品は、コンピュータのフロッピーディスク（登録商標）、ハードディスク、または光ディスクなどの読み取り可能な記憶媒体に格納され、本発明の実施形態に記載の方法の実行をコンピュータ装置（パーソナルコンピュータ、サーバ、またはネットワーク装置であってよい）に指示するためのいくつかのインストラクションを含む。
【０２２２】
以上の説明は、あくまでも本発明の特定の実施のやり方にすぎず、本発明の保護の範囲を限定しようとするものではない。本発明において開示された技術的範囲に包含される当業者であれば容易に想到できるあらゆる変種または置換が、本発明の保護の範囲に含まれる。したがって、本発明の保護の範囲は、特許請求の範囲の保護の範囲に従うものとする。
【符号の説明】
【０２２３】
1  第1のUEへと送信されるべき信号
2  第2のUEへと送信されるべき信号
3  第3のUEへと送信されるべき信号
4  重畳符号化信号
41  第1の装置
61  第2の装置
81  システム
91  第1の装置
101  第2の装置
411  生成ユニット
412  送信ユニット
413  指示ユニット
511  第1の送信サブユニット
512  第2の送信サブユニット
513  第3の送信サブユニット
611  受信ユニット
612  復調ユニット
711  第1の受信サブユニット
712  第2の受信サブユニット
713  第3の受信サブユニット
811  基地局
911  プロセッサ
912  送信機
1001  受信機
1002  復調器
1111  基地局
CRC  周期的冗長検査情報
DCI  ダウンリンク制御情報
UE  ユーザ機器
【図１（ａ）】
2016521509.tif 000009
【図１（ｂ）】
2016521509.tif 000010
【図１（ｃ）】
2016521509.tif 000011
【図１（ｄ）】
2016521509.tif 000012
【図２】
2016521509.tif 000013
【図３】
2016521509.tif 000014
【図４】
2016521509.tif 000015
【図５】
2016521509.tif 000016
【図６】
2016521509.tif 000017
【図７】
2016521509.tif 000018
【図８】
2016521509.tif 000019
【図９】
2016521509.tif 000020
【図１０】
2016521509.tif 000021
【図１１】
2016521509.tif 000022
【手続補正書】
【提出日】平成27年12月17日(2015.12.17)
【手続補正１】
【補正対象書類名】特許請求の範囲
【補正対象項目名】全文
【補正方法】変更
【補正の内容】
【特許請求の範囲】
【請求項１】
少なくとも2つのユーザ機器（UE）に個々に送信されるべきビットデータに従って重畳符号化Superposition Coding信号を生成するステップと、
前記少なくとも2つのUEのうちの少なくとも1つのUEに通知信号を送信するステップであって、前記通知信号がデータ選択情報を運び、前記データ選択情報が、前記重畳符号化信号から復調されるビットデータから特定の量でありかつ特定の位置にある少なくとも1ビットのデータを受信データとして取得するように該UEに対して指示するために使用されるものである、ステップと、
前記重畳符号化信号を前記少なくとも2つのUEに送信するステップと
を含む重畳符号化方法。
【請求項２】
前記少なくとも2つのUEのうちの少なくとも1つのUEに、データ選択情報を運ぶ通知信号を送信するステップは、
前記データ選択情報を運ぶ無線リソース制御（RRC）信号を前記少なくとも2つのUEに送信するステップ、または
前記データ選択情報を運ぶダウンリンク制御情報（DCI）を前記少なくとも2つのUEに送信するステップ、または
DCIを前記少なくとも2つのUEに送信するステップであって、前記DCIにおける周期的冗長検査（CRC）情報が、前記データ選択情報を示すために用いられるスクランブル符号を使用することによってスクランブルされたものである、ステップ
を含む請求項1に記載の方法。
【請求項３】
前記少なくとも2つのUEに対してそれぞれの復調方式の選択を個々に指示するステップ
をさらに含む請求項1または2に記載の方法。
【請求項４】
前記重畳符号化信号の変調方式が64値直交振幅変調（QAM）変調である場合に、前記少なくとも2つのUEに対してそれぞれの復調方式の選択を個々に指示するステップは、
第1のUEに対して四位相偏移変調（QPSK）復調の選択を指示し、第2のUEに対して64QAM復調の選択を指示するステップ、または
第1のUEに対して16QAM復調の選択を指示し、第2のUEに対して64QAM復調の選択を指示するステップ、または
第1のUEおよび第2のUEの両方に64QAM復調の選択を指示するステップ
を含む請求項3に記載の方法。
【請求項５】
前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して256QAM復調の選択を指示するステップ、または
第1のUEに対して16QAM復調の選択を指示し、第2のUEに対して256QAM復調の選択を指示するステップ、または
第1のUEに対して64QAM復調の選択を指示し、第2のUEに対して256QAM復調の選択を指示するステップ、または
第1のUEおよび第2のUEの両方に256QAM復調の選択を指示するステップ
を含む請求項3に記載の方法。
【請求項６】
前記第1のUEに対してQPSK復調の選択が指示され、前記第2のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して16QAM復調の選択が指示され、前記第2のUEに対して256QAM復調の選択が指示される場合に、前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、もしくは
前記第1のUEに対して64QAM復調の選択が指示され、前記第2のUEに対して256QAM復調の選択が指示される場合に、前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、もしくは
前記第1のUEおよび前記第2のUEの両方に対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される、
請求項5に記載の方法。
【請求項７】
前記重畳符号化信号の変調方式が256QAM変調である場合に、前記少なくとも2つのUEに対してそれぞれの復調方式の選択を個々に指示するステップは、
第1のUEに対してQPSK復調の選択を指示し、第2のUEに対して16QAM復調の選択を指示し、第3のUEに対して256QAM復調の選択を指示するステップ、または
第1のUE、第2のUE、および第3のUEのすべてに対して256QAM復調の選択を指示するステップ
を含む請求項3に記載の方法。
【請求項８】
前記第1のUEに対してQPSK復調の選択が指示され、前記第2のUEに対して16QAM復調の選択が指示され、前記第3のUEに対して256QAM復調の選択が指示される場合に、前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記第1のUE、前記第2のUE、および前記第3のUEのすべてに対して256QAM復調の選択が指示される場合に、前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される、
請求項7に記載の方法。
【請求項９】
少なくとも2つのユーザ機器（UE）に個々に送信されるべきビットデータに従って重畳符号化信号を生成するプロセッサと、
前記少なくとも2つのUEのうちの少なくとも1つのUEに、前記重畳符号化信号から復調されるビットデータから特定の量でありかつ特定の位置にある少なくとも1ビットのデータを受信データとして取得するように該UEに対して指示するために使用されるデータ選択情報を運ぶ通知信号を送信する送信機と
を備えており、
前記送信機は、前記重畳符号化信号を前記少なくとも2つのUEに送信するようにさらに構成されている、重畳符号化装置。
【請求項１０】
前記送信機は、前記データ選択情報を運ぶ無線リソース制御RRC信号を前記少なくとも2つのUEに送信するように構成されており、あるいは
前記送信機は、前記データ選択情報を運ぶダウンリンク制御情報DCIを前記少なくとも2つのUEに送信するように構成されており、あるいは
前記送信機は、前記データ選択情報を示すために用いられるスクランブル符号を使用することによってスクランブルされた周期的冗長検査（CRC）情報を含むDCIを前記少なくとも2つのUEに送信するように構成されている、
請求項9に記載の装置。
【請求項１１】
前記プロセッサは、前記少なくとも2つのUEに対してそれぞれの復調方式の選択を指示するために個々に使用される情報を生成するように構成され、
前記送信機は、前記プロセッサによって生成され、前記少なくとも2つのUEに対してそれぞれの復調方式の選択を指示するために個々に使用される情報を、前記少なくとも2つのUEに送信するようにさらに構成されている、請求項9または10に記載の装置。
【請求項１２】
前記重畳符号化信号の変調方式が64値直交振幅変調（QAM）変調である場合に、
前記プロセッサは、第1のUEに対して四位相偏移変調（QPSK）復調の選択を指示するための情報を生成するとともに、第2のUEに対して64QAM復調の選択を指示するための情報を生成するようにさらに構成され、
前記送信機は、前記第1のUEに対してQPSK復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して64QAM復調の選択を指示するための情報を生成するようにさらに構成され、
前記送信機は、前記第1のUEに対して16QAM復調の選択を指示するための情報を、前記第1のUEに送信するとともに、前記第2のUEに対して64QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して64QAM復調の選択を指示するための情報を生成するようにさらに構成され、
前記送信機は、前記第1のUEに対して64QAM復調の選択を指示するための情報を、前記第1のUEに送信するとともに、前記第2のUEに対して64QAM復調の選択を指示するための情報を、前記第2のUEに送信するようにさらに構成される、
請求項11に記載の装置。
【請求項１３】
前記重畳符号化信号の変調方式が256QAM変調である場合に、
前記プロセッサは、第1のUEに対してQPSK復調の選択を指示するための情報を生成するとともに、第2のUEに対して256QAM復調の選択を指示するための情報を生成するようにさらに構成され、
前記送信機は、前記第1のUEに対してQPSK復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して16QAM復調の選択を指示するための情報を生成するとともに、第2のUEに対して256QAM復調の選択を指示するための情報を生成するようにさらに構成され、
前記送信機は、前記第1のUEに対して16QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して64QAM復調の選択を指示するための情報を生成するとともに、第2のUEに対して256QAM復調の選択を指示するための情報を生成するようにさらに構成され、
前記送信機は、前記第1のUEに対して64QAM復調の選択を指示するための情報を、前記第1のUEに送信するとともに、前記第2のUEに対して256QAM復調の選択を指示するための情報を、前記第2のUEに送信するようにさらに構成され、あるいは
前記プロセッサは、第1のUEに対して256QAM復調の選択を指示するための情報を生成するとともに、第2のUEに対して256QAM復調の選択を指示するための情報を生成するようにさらに構成され、
前記送信機は、前記第1のUEに対して256QAM復調の選択を指示するための情報を、前記第1のUEに送信するとともに、前記第2のUEに対して256QAM復調の選択を指示するための情報を、前記第2のUEに送信するようにさらに構成される、
請求項11に記載の装置。
【請求項１４】
前記送信機は、前記プロセッサによって生成された前記第1のUEに対してQPSK復調の選択を指示するための情報および前記第2のUEに対して256QAM復調の選択を指示するための情報に従い、前記第1のUEおよび前記第2のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの4つのビットのすべてを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して16QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して4ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して復調後データの6つのビットのすべてを受信データとして取得するように指示するために使用され、前記第2のUEによって受信されるデータ選択情報は、該第2のUEに対して8ビットの復調後データのうちの最後の2ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して64QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して6ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの最後の6ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の4ビットのデータを受信データとして取得するように指示するために使用され、前記第2のUEによって受信されるデータ選択情報は、該第2のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報および前記第2のUEに対して256QAM復調の選択を指示するための情報に従い、前記第1のUEおよび前記第2のUEに通知信号を送信するようにさらに構成され、ここで前記第1のUEによって受信されるデータ選択情報は、該第1のUEに対して8ビットの復調後データのうちの最初の6ビットのデータを受信データとして取得するように指示するために使用され、前記第2のUEによって受信されるデータ選択情報は、該第2のUEに対して8ビットの復調後データのうちの最後の2ビットのデータを受信データとして取得するように指示するために使用される、
請求項13に記載の装置。
【請求項１５】
前記重畳符号化信号の変調方式が256QAM変調である場合に、
前記プロセッサは、第1のUEに対してQPSK復調の選択を指示するための情報、第2のUEに対して16QAM復調の選択を指示するための情報、および第3のUEに対して256QAM復調の選択を指示するための情報を生成するように構成され、
前記送信機は、前記第1のUEに対してQPSK復調の選択を指示するための情報を前記第1のUEに送信し、前記第2のUEに対して16QAM復調の選択を指示するための情報を前記第2のUEに送信し、前記第3のUEに対して256QAM復調の選択を指示するための情報を前記第3のUEに送信するように構成され、あるいは
前記プロセッサは、第1のUE、第2のUE、および第3のUEのすべてに対して256QAM復調の選択を指示するようにさらに構成され、
前記送信機は、前記第1のUEに対して256QAM復調の選択を指示するための情報を前記第1のUEに送信し、前記第2のUEに対して256QAM復調の選択を指示するための情報を前記第2のUEに送信し、前記第3のUEに対して256QAM復調の選択を指示するための情報を前記第3のUEに送信するように構成される、
請求項11に記載の装置。
【請求項１６】
前記送信機は、前記プロセッサによって生成された前記第1のUEに対してQPSK復調の選択を指示するための情報、前記第2のUEに対して16QAM復調の選択を指示するための情報、および前記第3のUEに対して256QAM復調の選択を指示するための情報に従って、前記第1のUE、前記第2のUE、および前記第3のUEに通知信号を送信するように構成され、ここで前記第1のUEによって受信されるデータ選択情報は、該第1のUEに対して復調後データの両方のビットを受信データとして取得するように指示するために使用され、前記第2のUEによって受信されるデータ選択情報は、該第2のUEに対して4ビットの復調後データのうちの最後の2ビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用され、あるいは
前記送信機は、前記プロセッサによって生成された前記第1のUEに対して256QAM復調の選択を指示するための情報、前記第2のUEに対して256QAM復調の選択を指示するための情報、および前記第3のUEに対して256QAM復調の選択を指示するための情報に従って、前記第1のUE、前記第2のUE、および前記第3のUEに通知信号を送信するようにさらに構成され、ここで前記第1のUEによって受信されるデータ選択情報は、該第1のUEに対して8ビットの復調後データのうちの最初の2ビットのデータを受信データとして取得するように指示するために使用され、前記第2のUEによって受信されるデータ選択情報は、該第2のUEに対して8ビットの復調後データのうちの3番目および4番目のビットのデータを受信データとして取得するように指示するために使用され、前記第3のUEによって受信されるデータ選択情報は、該第3のUEに対して8ビットの復調後データのうちの最後の4ビットのデータを受信データとして取得するように指示するために使用される、
請求項15に記載の装置。
【請求項１７】
基地局によって送信された通知信号であって、受信される重畳符号化信号から復調されるビットデータから特定の量でありかつ特定の位置にある少なくとも1ビットのデータを受信データとして取得するようにユーザ機器（UE）に対して指示するために使用されるデータ選択情報を運んでいる通知信号を、受信するように構成され、かつ前記基地局によって送信された重畳符号化信号を受信するようにさらに構成された受信機と、
前記受信機によって受信された重畳符号化信号を復調し、前記受信機によって受信されたデータ選択情報に従って、前記重畳符号化信号から復調されたビットデータから受信データを取得する復調器と
を備える重畳符号化装置。
【請求項１８】
前記受信機は、前記データ選択情報を運ぶ前記基地局によって送信された無線リソース制御（RRC）信号を受信するように構成され、あるいは
前記受信機は、前記データ選択情報を運ぶ前記基地局によって送信されたダウンリンク制御情報（DCI）を受信するように構成され、あるいは
前記受信機は、前記データ選択情報を示すために用いられるスクランブル符号を使用することによってスクランブルされた周期的冗長検査（CRC）情報を含む前記基地局によって送信されたDCIを受信するように構成されている、
請求項17に記載の装置。
【請求項１９】
プロセッサをさらに備えており、
前記受信機は、前記基地局によって送信され、復調方式の選択に使用される指示を受信するように構成され、
前記プロセッサは、前記受信機によって受信される指示に従って特定の復調方式を選択するように構成され、
前記復調器は、前記プロセッサによって選択された前記特定の復調方式に従って前記重畳符号化信号を復調するように構成されている、請求項17または18に記載の装置。
【請求項２０】
前記受信機は、
前記プロセッサが前記受信機によって受信された指示に従って四位相偏移変調（QPSK）復調を選択するときに、復調後データの両方のビットを受信データとして取得する旨のデータ選択情報を運ぶ通知信号を受信し、あるいは
前記プロセッサが前記受信機によって受信された指示に従って16値直交振幅変調（QAM）復調を選択するときに、4ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って16 QAM復調を選択するときに、復調後データの4つのビットのすべてを受信データとして取得する旨のデータ選択情報を運ぶ通知信号を受信し、あるいは
前記プロセッサが前記受信機によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って64QAM復調を選択するときに、復調後データの6つのビットのすべてを受信データとして取得する旨のデータ選択情報を運ぶ通知信号を受信し、あるいは
前記プロセッサが前記受信機によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成されている請求項19に記載の装置。
【手続補正２】
【補正対象書類名】明細書
【補正対象項目名】０００９
【補正方法】変更
【補正の内容】
【０００９】
第1の態様について考えられる第2の実施のやり方において、第1の態様について考えられる第3の実施のやり方がさらに提供され、第1の態様について考えられる第3の実施のやり方において、前記重畳符号化信号の変調方式が16QAM変調である場合に、前記少なくとも2つのUEに対してそれぞれの復調方式の選択を個々に指示するステップは、
第1のUEに対して四位相偏移変調QPSK復調の選択を指示し、第2のUEに対して16QAM復調の選択を指示するステップ、または
第1のUEおよび第2のUEの両方に16QAM復調の選択を指示するステップ
を含む。
【手続補正３】
【補正対象書類名】明細書
【補正対象項目名】００２１
【補正方法】変更
【補正の内容】
【００２１】
第2の態様について考えられる第2の実施のやり方において、第2の態様について考えられる第3の実施のやり方がさらに提供され、第2の態様について考えられる第3の実施のやり方において、
前記基地局によって指示された復調方式が四位相偏移変調QPSK復調である場合に、前記データ選択情報は、復調後データの両方のビットを受信データとして取得することであり、もしくは
前記基地局によって指示された復調方式が16QAM復調である場合に、前記データ選択情報は、4ビットの復調後データのうちの最初の2ビットのデータまたは最後の2ビットのデータを受信データとして取得することであり、あるいは前記データ選択情報は、復調後データの4つのビットのすべてを受信データとして取得することであり、もしくは
前記基地局によって指示された復調方式が64QAM復調である場合に、前記データ選択情報は、6ビットの復調後データのうちの最初の2ビットのデータまたは最後の2ビットのデータを受信データとして取得することであり、あるいは前記データ選択情報は、6ビットの復調後データのうちの最初の4ビットのデータまたは最後の4ビットのデータを受信データとして取得することであり、あるいは前記データ選択情報は、復調後データの6つのビットのすべてを受信データとして取得することであり、もしくは
前記基地局によって指示された復調方式が256QAM復調である場合に、前記データ選択情報は、8ビットの復調後データのうちの最初の2ビットのデータまたは最後の2ビットのデータを受信データとして取得することであり、あるいは前記データ選択情報は、8ビットの復調後データのうちの最初の4ビットのデータまたは最後の4ビットのデータを受信データとして取得することであり、あるいは前記データ選択情報は、8ビットの復調後データのうちの最初の6ビットのデータまたは最後の6ビットのデータを受信データとして取得することである。
【手続補正４】
【補正対象書類名】明細書
【補正対象項目名】００２４
【補正方法】変更
【補正の内容】
【００２４】
第3の態様について考えられる第1の実施のやり方において、前記送信ユニットは、
前記データ選択情報を運ぶ無線リソース制御RRC信号を前記少なくとも2つのUEに送信する第1の送信サブユニット、または
前記データ選択情報を運ぶダウンリンク制御情報DCIを前記少なくとも2つのUEに送信する第2の送信サブユニット、または
前記データ選択情報を示すために用いられるスクランブル符号を使用することによってスクランブルされた周期的冗長検査情報CRCを含むDCIを前記少なくとも2つのUEに送信する第3の送信サブユニット
を備える。
【手続補正５】
【補正対象書類名】明細書
【補正対象項目名】００２６
【補正方法】変更
【補正の内容】
【００２６】
第3の態様について考えられる第2の実施のやり方において、第3の態様について考えられる第3の実施のやり方がさらに提供され、第3の態様について考えられる第3の実施のやり方において、前記重畳符号化信号の変調方式が16QAM変調である場合に、
前記指示ユニットは、第1のUEに対して四位相偏移変調QPSK復調の選択を指示し、第2のUEに対して16QAM復調の選択を指示するように構成され、あるいは
前記指示ユニットは、第1のUEおよび第2のUEの両方に16QAM復調の選択を指示ように構成される。
【手続補正６】
【補正対象書類名】明細書
【補正対象項目名】００３８
【補正方法】変更
【補正の内容】
【００３８】
第4の態様について考えられる第2の実施のやり方において、第4の態様について考えられる第3の実施のやり方がさらに提供され、第4の態様について考えられる第3の実施のやり方において、前記受信ユニットは、
前記選択ユニットが前記受信ユニットによって受信された指示に従って四位相偏移変調QPSK復調を選択するときに、復調後データの両方のビットを受信データとして取得する旨のデータ選択情報を運ぶ通知信号を受信し、あるいは
前記選択ユニットが前記受信ユニットによって受信された指示に従って16QAM復調を選択するときに、4ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って16QAM復調を選択するときに、復調後データの4つのビットのすべてを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って64QAM復調を選択するときに、復調後データの6つのビットのすべてを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記選択ユニットが前記受信ユニットによって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成される。
【手続補正７】
【補正対象書類名】明細書
【補正対象項目名】００４１
【補正方法】変更
【補正の内容】
【００４１】
第5の態様について考えられる第1の実施のやり方において、
前記送信機は、前記データ選択情報を運ぶ無線リソース制御RRC信号を前記少なくとも2つのUEに送信するように構成され、あるいは
前記送信機は、前記データ選択情報を運ぶダウンリンク制御情報DCIを前記少なくとも2つのUEに送信するように構成され、あるいは
前記送信機は、前記データ選択情報を示すために用いられるスクランブル符号を使用することによってスクランブルされた周期的冗長検査情報CRCを含むDCIを前記少なくとも2つのUEに送信するように構成される。
【手続補正８】
【補正対象書類名】明細書
【補正対象項目名】００４３
【補正方法】変更
【補正の内容】
【００４３】
第5の態様について考えられる第2の実施のやり方において、第5の態様について考えられる第3の実施のやり方がさらに提供され、第5の態様について考えられる第3の実施のやり方において、前記重畳符号化信号の変調方式が16QAM変調である場合に、
前記プロセッサは、第1のUEに対して四位相偏移変調QPSK復調の選択を指示するための情報および第2のUEに対して16QAM復調の選択を指示するための情報を生成するように構成され、
前記送信機は、前記プロセッサによって生成され、前記第1のUEに対して四位相偏移変調QPSK復調の選択を指示するための情報を、前記第1のUEに送信し、前記プロセッサによって生成され、前記第2のUEに対して16QAM復調の選択を指示するための情報を、前記第2のUEに送信するように構成され、あるいは
前記プロセッサは、第1のUEに対して16QAM復調の選択を指示するための情報および第2のUEに対して16QAM復調の選択を指示するための情報を生成するように構成され、
前記送信機は、前記第1のUEに対して16QAM復調の選択を指示するための情報を、前記第1のUEに送信し、前記第2のUEに対して16QAM復調の選択を指示するための情報を、前記第2のUEに送信するように構成される。
【手続補正９】
【補正対象書類名】明細書
【補正対象項目名】００５５
【補正方法】変更
【補正の内容】
【００５５】
第6の態様について考えられる第2の実施のやり方において、第6の態様について考えられる第3の実施のやり方がさらに提供され、第6の態様について考えられる第3の実施のやり方において、前記受信ユニットは、
前記プロセッサが前記受信機によって受信された指示に従って四位相偏移変調QPSK復調を選択するときに、復調後データの両方のビットを受信データとして取得する旨のデータ選択情報を運ぶ通知信号を受信し、あるいは
前記プロセッサが前記受信機によって受信された指示に従って16QAM復調を選択するときに、4ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って16QAM復調を選択するときに、復調後データの4つのビットのすべてを受信データとして取得する旨のデータ選択情報を運ぶ通知信号を受信し、あるいは
前記プロセッサが前記受信機によって受信された指示に従って64QAM復調を選択するときに、6ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って64QAM復調を選択するときに、6ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って64QAM復調を選択するときに、復調後データの6つのビットのすべてを受信データとして取得する旨のデータ選択情報を運ぶ通知信号を受信し、あるいは
前記プロセッサが前記受信機によって受信された指示に従って256QAM復調を選択するときに、8ビットの復調後データの最初の2ビットのデータまたは最後の2ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の4ビットのデータまたは最後の4ビットのデータを受信データとして取得する旨のデータ選択情報を運ぶ通知信号を受信し、あるいは
前記プロセッサが前記受信機によって受信された指示に従って256QAM復調を選択するときに、8ビットの復調後データの最初の6ビットのデータまたは最後の6ビットのデータを受信データとして取得する旨のデータ選択情報を運ぶ通知信号を受信する
ように構成される。
【手続補正１０】
【補正対象書類名】明細書
【補正対象項目名】００６４
【補正方法】変更
【補正の内容】
【００６４】
以下の実施形態においては、LTE通信システムが、説明用の例として使用される。この実施形態において、基地局は、LTEシステムにおける発展型基地局（eNB）であってよく、UEは、携帯電話機などの通信装置であってよい。基地局は、UMTS通信システムにおける無線ネットワークコントローラ（RNC）などであってもよい。
【手続補正１１】
【補正対象書類名】明細書
【補正対象項目名】００６７
【補正方法】変更
【補正の内容】
【００６７】
重畳符号化信号をUEに送信する前に、基地局は、重畳符号化信号を受信するUEのグループを明らかにすることができ、一般的な場合において、基地局は、異なるチャネル条件を有するいくつかのUEを重畳符号化信号を受信するUEのグループとして選択する。例えば、基地局が2つのUEに重畳符号化信号を送信する場合に、基地局は、しきい値を設定することができ、次いでUEによって報告されるチャネル品質インジケータ（CQI）をしきい値と比較することができ、チャネル品質インジケータがしきい値よりも大きいUEおよびチャネル品質インジケータがしきい値よりも小さいUEを、基地局によって送信される重畳符号化信号を受信する1つのグループにグループ化することができる。加えて、UEの変調／復調能力も、グループ化の際に考慮することができる。例えば、いくつかのマシン・ツー・マシン（M2M）機器など、限られた変調能力しか持たないいくつかのUEは、QPSK復調しかサポートせず、最大2ビットの情報しか取得できず、基地局は、四位相偏移変調信号（QPSK）復調だけをサポートするUEと、例えば16値直交振幅変調（16QAM）復調能力をサポートできるUEなどのより高い復調能力を有するUEとを、1つのグループにグループ化することができる。
【手続補正１２】
【補正対象書類名】明細書
【補正対象項目名】００７５
【補正方法】変更
【補正の内容】
【００７５】
UEが使用する復調方式が、二位相偏移変調（BPSK）である場合、UEは、受信データとして復調後のビットデータから1ビットを取得することができる。
【手続補正１３】
【補正対象書類名】明細書
【補正対象項目名】００７９
【補正方法】変更
【補正の内容】
【００７９】
1）基地局が、少なくとも2つのUEに無線リソース制御（RRC）信号を送信し、RRC信号がデータ選択情報を運ぶ。
【手続補正１４】
【補正対象書類名】明細書
【補正対象項目名】００８０
【補正方法】変更
【補正の内容】
【００８０】
2）基地局が、新たに定められるダウンリンク制御情報（DCI）信号を少なくとも2つのUEに送信し、ここでDCIが、受信データを取得するようにUEに対して指示するためのフィールドを含み、このフィールドがデータ選択情報を運ぶ。
【手続補正１５】
【補正対象書類名】明細書
【補正対象項目名】００８１
【補正方法】変更
【補正の内容】
【００８１】
3）基地局が、DCIを少なくとも2つのUEに送信し、ここでDCI内の周期的冗長検査（CRC）情報が、スクランブル符号を使用することによってスクランブルされ、このスクランブル符号が、データ選択情報を示すために使用される。
【手続補正１６】
【補正対象書類名】明細書
【補正対象項目名】０１０２
【補正方法】変更
【補正の内容】
【０１０２】
基地局がUEに対して16QAM復調を使用するように指示する場合、データ選択情報は、4ビットの復調後データのうちの最後の2ビットのデータを受信データとして取得することであり、UEは、このデータ選択情報に従って、特定の位置にある2ビットのデータを取得する。あるいは、基地局がUEに対してQPSK復調を使用するように指示する場合、データ選択情報は、復調後のデータの両方のビットを受信データとして取得することであり、UEは、このデータ選択情報に従って、特定の位置にある2ビットのデータを取得する。この実施形態は、データ選択情報の具体的内容を限定するものではない。
【手続補正１７】
【補正対象書類名】明細書
【補正対象項目名】０１３０
【補正方法】変更
【補正の内容】
【０１３０】
8）基地局が、第1のUEおよび第2のUEの両方に対して256QAM復調の選択を指示し、次いで第1のUEおよび第2のUEに通知信号を送信し、ここで第1のUEによって受信されるデータ選択情報は、第1のUEに対して8ビットの復調後データのうちの最初の4ビットのデータを受信データとして取得するように指示するために使用され、第2のUEによって受信されるデータ選択情報は、第2のUEに対して8ビットの復調後データのうちの最後の4ビットのデータを受信データとして取得するように指示するために使用される。変調／復調の結果は、256QAM==>16QAM+16QAMに相当し、ここで式の左辺は、基地局が256QAM変調によって8ビットのデータを得ることを表し、式の右辺の第1の16QAMは、第1のUEが256QAM復調を使用して8ビットのデータのうちの最初の4ビットのデータを得、これが第1のUEが16QAM復調を使用することと同等であることを表し、式の右辺の第2の16QAMは、第2のUEが256QAM復調を使用して8ビットのデータのうちの最後の4ビットのデータを得、これが第2のUEが16QAM復調を使用することと同等であることを表している。
【国際調査報告】
2016521509.tif 000023
2016521509.tif 000024
2016521509.tif 000025
2016521509.tif 000026